(57)【要約】  本開示の特定の態様は、ショートセクタスイープにおけるアドレス衝突を低減するための技法を提供する。いくつかのケースでは、この技法は、第１のパラメータ（例えば、ハッシュ関数のためのシード）を使用して生成された符号化アドレス（例えば、圧縮されたアドレス）が、第１のワイヤレスノードと第２のワイヤレスノードとを、符号化アドレスを含む少なくとも１つの第１のフレームのための同じ宛先であると識別するか否かを決定することと、符号化アドレスが第１のワイヤレスノードと第２のワイヤレスノードとを同じ宛先であると識別した場合、第１のパラメータを使用しないインジケーションを含む少なくとも１つの第２のフレームを生成することと、第１のワイヤレスノードまたは第２のワイヤレスノードのうちの少なくとも１つへの送信のために、少なくとも１つの第２のフレームを出力することと、を含む。
2019526981.tif 000002
【特許請求の範囲】
【請求項１】
ワイヤレス通信のための装置であって、
少なくとも第１のパラメータを使用して生成された符号化アドレスが、第１のワイヤレスノードと第２のワイヤレスノードとを、前記符号化アドレスを含む少なくとも１つの第１のフレームのための同じ宛先であると識別するか否かを決定することと、
前記符号化アドレスが前記第１のワイヤレスノードと前記第２のワイヤレスノードとを前記同じ宛先であると識別した場合、前記第１のパラメータを使用しないインジケーションを含む少なくとも１つの第２のフレームを生成することと
を行うように構成された処理システムと、
前記第１のワイヤレスノードまたは前記第２のワイヤレスノードのうちの少なくとも１つへの送信のために、前記少なくとも１つの第２のフレームを出力するように構成されたインターフェースと
を備える、装置。
【請求項２】
前記処理システムは、前記第１のワイヤレスノードのアドレスに基づいて、前記符号化アドレスが前記第１のワイヤレスノードと前記第２のワイヤレスノードとを前記同じ宛先であると識別するか否かを決定するように構成される、請求項１に記載の装置。
【請求項３】
前記第１のワイヤレスノードの前記アドレスは、前記第１のワイヤレスノードのメディアアクセス制御（ＭＡＣ）アドレスを備える、請求項２に記載の装置。
【請求項４】
前記処理システムは、前記第１のワイヤレスノードのアドレスと前記第２のワイヤレスノードのアドレスとに基づいて、前記符号化アドレスが前記第１のワイヤレスノードと前記第２のワイヤレスノードとを前記同じ宛先であると識別するか否かを決定するように構成される、請求項１に記載の装置。
【請求項５】
前記第１のワイヤレスノードの前記アドレスは、前記第１のワイヤレスノードのメディアアクセス制御（ＭＡＣ）アドレスを備え、前記第２のワイヤレスノードの前記アドレスは、前記第２のワイヤレスノードのＭＡＣアドレスを備える、請求項４に記載の装置。
【請求項６】
前記第１のパラメータは、通信のために使用される前記符号化アドレスまたは乱数を生成するために、ハッシュ関数のためのシードのうちの少なくとも１つを備える、請求項１に記載の装置。
【請求項７】
前記符号化アドレスは、
アソシエーション識別子（ＡＩＤ）、
ゴレイ(Golay)シーケンス番号、または
周波数オフセット値
のうちの少なくとも１つを備える、請求項１に記載の装置。
【請求項８】
前記符号化アドレスは、基本サービスセット（ＢＳＳ）カラーを備える、請求項１に記載の装置。
【請求項９】
前記処理システムは、前記第２のワイヤレスノードとのアソシエーションに従って取得された少なくとも１つのフレームに基づいて、前記符号化アドレスが前記第１のワイヤレスノードと前記第２のワイヤレスノードとを前記同じ宛先であると識別するか否かを決定するように構成される、請求項１に記載の装置。
【請求項１０】
前記インジケーションは、第２のパラメータを使用するための命令を備え、前記第２のパラメータは、前記第１のパラメータとは異なる、請求項１に記載の装置。
【請求項１１】
前記処理システムは、少なくとも、
前記第１のパラメータと前記第１のワイヤレスノードのアドレスとに基づいて前記符号化アドレスを生成することと、
前記第１のパラメータと前記第２のワイヤレスノードのアドレスとに基づいて第２の符号化アドレスを生成することと、
前記第２の符号化アドレスが前記符号化アドレスと同じであるか否かを決定することと
によって、前記符号化アドレスが前記第１のワイヤレスノードと前記第２のワイヤレスノードとを前記同じ宛先であると識別するか否かを決定するように構成される、請求項１に記載の装置。
【請求項１２】
ワイヤレス通信のための方法であって、
少なくとも第１のパラメータを使用して生成された符号化アドレスが、第１のワイヤレスノードと第２のワイヤレスノードとを、前記符号化アドレスを含む少なくとも１つの第１のフレームのための同じ宛先であると識別するか否かを決定することと、
前記符号化アドレスが前記第１のワイヤレスノードと前記第２のワイヤレスノードとを前記同じ宛先であると識別した場合、前記第１のパラメータを使用しないインジケーションを含む少なくとも１つの第２のフレームを生成することと、
前記第１のワイヤレスノードまたは前記第２のワイヤレスノードのうちの少なくとも１つへの送信のために、前記少なくとも１つの第２のフレームを出力することと
を備える、方法。
【請求項１３】
前記符号化アドレスが前記第１のワイヤレスノードと前記第２のワイヤレスノードとを前記同じ宛先であると識別するか否かを決定することは、前記第１のワイヤレスノードのアドレスに基づく、請求項１２に記載の方法。
【請求項１４】
前記第１のワイヤレスノードの前記アドレスは、前記第１のワイヤレスノードのメディアアクセス制御（ＭＡＣ）アドレスを備える、請求項１３に記載の方法。
【請求項１５】
前記符号化アドレスが前記第１のワイヤレスノードと前記第２のワイヤレスノードとを前記同じ宛先であると識別するか否かを決定することは、前記第１のワイヤレスノードのアドレスと前記第２のワイヤレスノードのアドレスとに基づく、請求項１２に記載の方法。
【請求項１６】
前記第１のワイヤレスノードの前記アドレスは、前記第１のワイヤレスノードのメディアアクセス制御（ＭＡＣ）アドレスを備え、前記第２のワイヤレスノードの前記アドレスは、前記第２のワイヤレスノードのＭＡＣアドレスを備える、請求項１５に記載の方法。
【請求項１７】
前記第１のパラメータは、通信のために使用される前記符号化アドレスまたは乱数を生成するために、ハッシュ関数のためのシードのうちの少なくとも１つを備える、請求項１２に記載の方法。
【請求項１８】
前記符号化アドレスは、
アソシエーション識別子（ＡＩＤ）、
ゴレイシーケンス番号、または
周波数オフセット値
のうちの少なくとも１つを備える、請求項１２に記載の方法。
【請求項１９】
前記符号化アドレスは、基本サービスセット（ＢＳＳ）カラーを備える、請求項１２に記載の方法。
【請求項２０】
前記符号化アドレスが前記第１のワイヤレスノードと前記第２のワイヤレスノードとを前記同じ宛先であると識別するか否かを決定することは、前記第２のワイヤレスノードとのアソシエーションに従って取得された少なくとも１つのフレームに基づく、請求項１２に記載の方法。
【請求項２１】
前記インジケーションは、第２のパラメータを使用するための命令を備え、前記第２のパラメータは、前記第１のパラメータとは異なる、請求項１２に記載の方法。
【請求項２２】
前記符号化アドレスが前記第１のワイヤレスノードと前記第２のワイヤレスノードとを前記同じ宛先であると識別するか否かを決定することは、
前記第１のパラメータと前記第１のワイヤレスノードのアドレスとに基づいて前記符号化アドレスを生成することと、
前記第１のパラメータと前記第２のワイヤレスノードのアドレスとに基づいて第２の符号化アドレスを生成することと、
前記第２の符号化アドレスが前記符号化アドレスと同じであるか否かを決定することと
を備える、請求項１２に記載の方法。
【請求項２３】
ワイヤレス通信のための装置であって、
少なくとも第１のパラメータを使用して生成された符号化アドレスが、第１のワイヤレスノードと第２のワイヤレスノードとを、前記符号化アドレスを含む少なくとも１つの第１のフレームのための同じ宛先であると識別するか否かを決定するための手段と、
前記符号化アドレスが前記第１のワイヤレスノードと前記第２のワイヤレスノードとを前記同じ宛先であると識別した場合、前記第１のパラメータを使用しないインジケーションを含む少なくとも１つの第２のフレームを生成するための手段と、
前記第１のワイヤレスノードまたは前記第２のワイヤレスノードのうちの少なくとも１つへの送信のために、前記少なくとも１つの第２のフレームを出力するための手段と
を備える、装置。
【請求項２４】
前記符号化アドレスが前記第１のワイヤレスノードと前記第２のワイヤレスノードとを前記同じ宛先であると識別するか否かを決定するための前記手段は、前記第１のワイヤレスノードのアドレスに基づいて、前記符号化アドレスが前記第１のワイヤレスノードと前記第２のワイヤレスノードとを前記同じ宛先であると識別するか否かを決定するための手段を備える、請求項２３に記載の装置。
【請求項２５】
前記第１のワイヤレスノードの前記アドレスは、前記第１のワイヤレスノードのメディアアクセス制御（ＭＡＣ）アドレスを備える、請求項２４に記載の装置。
【請求項２６】
前記符号化アドレスが前記第１のワイヤレスノードと前記第２のワイヤレスノードとを前記同じ宛先であると識別するか否かを決定するための前記手段は、前記第１のワイヤレスノードのアドレスと前記第２のワイヤレスノードのアドレスとに基づいて、前記符号化アドレスが前記第１のワイヤレスノードと前記第２のワイヤレスノードとを前記同じ宛先であると識別するか否かを決定するための手段を備える、請求項２３に記載の装置。
【請求項２７】
前記第１のワイヤレスノードの前記アドレスは、前記第１のワイヤレスノードのメディアアクセス制御（ＭＡＣ）アドレスを備え、前記第２のワイヤレスノードの前記アドレスは、前記第２のワイヤレスノードのＭＡＣアドレスを備える、請求項２６に記載の装置。
【請求項２８】
前記第１のパラメータは、通信のために使用される前記符号化アドレスまたは乱数を生成するように使用されるハッシュ関数のためのシードのうちの少なくとも１つを備える、請求項２３に記載の装置。
【請求項２９】
前記符号化アドレスは、
アソシエーション識別子（ＡＩＤ）、
ゴレイシーケンス番号、または
周波数オフセット値
のうちの少なくとも１つを備える、請求項２３に記載の装置。
【請求項３０】
前記符号化アドレスは、基本サービスセット（ＢＳＳ）カラーを備える、請求項２３に記載の装置。
【請求項３１】
前記符号化アドレスが前記第１のワイヤレスノードと前記第２のワイヤレスノードとを前記同じ宛先であると識別するか否かを決定するための前記手段は、前記第２のワイヤレスノードとのアソシエーションに従って取得された少なくとも１つのフレームに基づいて、前記符号化アドレスが前記第１のワイヤレスノードと前記第２のワイヤレスノードとを前記同じ宛先であると識別するか否かを決定するための手段を備える、請求項２３に記載の装置。
【請求項３２】
前記インジケーションは、第２のパラメータを使用するための命令を備え、前記第２のパラメータは、前記第１のパラメータとは異なる、請求項２３に記載の装置。
【請求項３３】
前記符号化アドレスが前記第１のワイヤレスノードと前記第２のワイヤレスノードとを前記同じ宛先であると識別するか否かを決定するための前記手段は、
前記第１のパラメータと前記第１のワイヤレスノードのアドレスとに基づいて前記符号化アドレスを生成するための手段と、
前記第１のパラメータと前記第２のワイヤレスノードのアドレスとに基づいて第２の符号化アドレスを生成するための手段と、
前記第２の符号化アドレスが前記符号化アドレスと同じであるか否かを決定するための手段と
を備える、請求項２３に記載の装置。
【請求項３４】
コンピュータ可読媒体であって、
少なくとも第１のパラメータを使用して生成された符号化アドレスが、第１のワイヤレスノードと第２のワイヤレスノードとを、前記符号化アドレスを含む少なくとも１つの第１のフレームのための同じ宛先であると識別するか否かを決定することと、
前記符号化アドレスが前記第１のワイヤレスノードと前記第２のワイヤレスノードとを前記同じ宛先であると識別した場合、前記第１のパラメータを使用しないインジケーションを含む少なくとも１つの第２のフレームを生成することと、
前記第１のワイヤレスノードまたは前記第２のワイヤレスノードのうちの少なくとも１つへの送信のために、前記少なくとも１つの第２のフレームを出力することと、
を行うための命令を記憶する、コンピュータ可読媒体。
【請求項３５】
ワイヤレスノードであって、
少なくとも第１のパラメータを使用して生成された符号化アドレスが、第１のワイヤレスノードと第２のワイヤレスノードとを、前記符号化アドレスを含む少なくとも１つの第１のフレームのための同じ宛先であると識別するか否かを決定することと、
前記符号化アドレスが前記第１のワイヤレスノードと前記第２のワイヤレスノードとを前記同じ宛先であると識別した場合、前記第１のパラメータを使用しないインジケーションを含む少なくとも１つの第２のフレームを生成することと
を行うように構成された処理システムと、
前記第１のワイヤレスノードまたは前記第２のワイヤレスノードのうちの少なくとも１つに、前記少なくとも１つの第２のフレームを送信するように構成された送信機と
を備える、ワイヤレスノード。
【発明の詳細な説明】
【関連出願の相互参照】
【０００１】
[0001]  本特許出願は、参照によりその全内容が本明細書に組み込まれた、２０１６年８月３１日付で米国特許商標庁に出願された仮出願第６２／３８２，１８１号、２０１６年９月１日付で米国特許商標庁に出願された仮出願第６２／３８２，７６６号、および２０１７年８月１６日付で米国特許商標庁に出願された非仮出願第１５／６７９，０６０号に対する優先権およびその利益を主張する。
【技術分野】
【０００２】
[0002]  本開示は、一般に、ワイヤレス通信システムに関し、より具体的には、ショートセクタスイープ（short sector sweeps）におけるアドレス衝突を低減するための装置および方法に関する。
【０００３】
[0003]  ６０ＧＨｚ帯域は、膨大な量の帯域幅と大きな世界中に広がったオーバーラップとを特徴とするライセンス不要の帯域（unlicensed band）である。広い帯域幅は、非常に高い情報量がワイヤレスに送信され得ることを意味する。結果として、各々が膨大な量のデータの送信を要求する複数のアプリケーションが、６０ＧＨｚ帯域周辺のワイヤレス通信を可能にするために開発され得る。このようなアプリケーションについての例は、限定はされないが、ゲームコントローラ、モバイル対話型デバイス、ワイヤレス高精細度ＴＶ（ＨＤＴＶ）、ワイヤレスドッキングステーション、ワイヤレスギガビットイーサネット（登録商標）、およびその他多くを含む。
【０００４】
[0004]  このようなアプリケーションを容易にするために、６０ＧＨｚの周波数範囲において動作する、増幅器、ミキサ、無線周波数（ＲＦ：radio frequency）アナログ回路、およびアクティブなアンテナなどの集積回路（ＩＣ：integrated circuits）を開発する必要がある。ＲＦシステムは通常、アクティブおよびパッシブモジュールを含む。アクティブモジュール（例えば、フェーズドアレイアンテナ）は、パッシブモジュール（例えば、フィルタ）が必要としない、それらの動作のための制御および電力信号を必要とする。様々なモジュールは、プリント回路基板（ＰＣＢ：printed circuit board）上に組み立てられ得る無線周波数集積回路（ＲＦＩＣ：radio frequency integrated circuit）として製造およびパッケージ化される。ＲＦＩＣパッケージのサイズは、数平方ミリメートルから数百平方ミリメートルに及び得る。
【０００５】
[0005]  消費者電子機器のマーケットにおいて、電子デバイスの設計、従って、その中に組み込まれたＲＦモジュールの設計は、最小のコスト、サイズ、電力消費、および重さの制約を満たすべきである。ＲＦモジュールの設計はまた、ミリメートル波信号の効率的な送信および受信を可能にするために、特に、電子デバイスの現在の組み立てられた構成、ラップトップおよびタブレットコンピュータなどのハンドヘルドデバイスを考慮に入れるべきである。さらに、ＲＦモジュールの設計は、受信および送信ＲＦ信号の最小の電力損失と、最大の無線カバレッジとを考慮すべきである。
【０００６】
[0006]  ６０ＧＨｚ帯域における動作は、より低い周波数と比較して、より小さいアンテナの使用を可能にする。しかしながら、より低い周波数で動作することと比較して、６０ＧＨｚ帯域周辺の電波には、高い大気減衰があり、大気中のガス、雨、物体（objects）などによる高レベルの吸収にさらされ、多くの自由空間の減少をもたらす。多くの自由空間の減少は、例えば、フェーズドアレイに配列された、多数の小さいアンテナを使用することによって補償され得る。
【０００７】
[0007]  複数のアンテナが、所望の方向に進むコヒーレントビームを形成するように調整され得る。この方向を変更するために、電界が回転され得る。結果として生じる送信は、電界に基づいて偏波される（polarized）。受信機はまた、変化する送信極性（transmission polarity）に一致または適合するように適合し得るアンテナも含み得る。
【発明の概要】
【０００８】
[0008]  本開示の特定の態様は、ワイヤレス通信のための装置を提供する。装置は、少なくとも第１のパラメータを使用して生成された符号化アドレスが、第１のワイヤレスノードと第２のワイヤレスノードとを、符号化アドレスを含む少なくとも１つの第１のフレームのための同じ宛先であると識別するか否かを決定することと、符号化アドレスが第１のワイヤレスノードと第２のワイヤレスノードとを同じ宛先であると識別した場合、第１のパラメータを使用しないインジケーションを含む少なくとも１つの第２のフレームを生成することと、を行うように構成された処理システムと、第１のワイヤレスノードまたは第２のワイヤレスノードのうちの少なくとも１つへの送信のために、少なくとも１つの第２のフレームを出力するように構成されたインターフェースと、を含む。
【０００９】
[0009]  本開示の特定の態様は、ワイヤレス通信のための方法を提供する。方法は、少なくとも第１のパラメータを使用して生成された符号化アドレスが、第１のワイヤレスノードと第２のワイヤレスノードとを、符号化アドレスを含む少なくとも１つの第１のフレームのための同じ宛先であると識別するか否かを決定することと、符号化アドレスが第１のワイヤレスノードと第２のワイヤレスノードとを同じ宛先であると識別した場合、第１のパラメータを使用しないインジケーションを含む少なくとも１つの第２のフレームを生成することと、第１のワイヤレスノードまたは第２のワイヤレスノードのうちの少なくとも１つへの送信のために、少なくとも１つの第２のフレームを出力することと、を含む。
【００１０】
[0010]  本開示の特定の態様は、ワイヤレス通信のための装置を提供する。装置は、少なくとも第１のパラメータを使用して生成された符号化アドレスが、第１のワイヤレスノードと第２のワイヤレスノードとを、符号化アドレスを含む少なくとも１つの第１のフレームのための同じ宛先であると識別するか否かを決定するための手段と、符号化アドレスが第１のワイヤレスノードと第２のワイヤレスノードとを同じ宛先であると識別した場合、第１のパラメータを使用しないインジケーションを含む少なくとも１つの第２のフレームを生成するための手段と、第１のワイヤレスノードまたは第２のワイヤレスノードのうちの少なくとも１つへの送信のために、少なくとも１つの第２のフレームを出力するための手段と、を含む。
【００１１】
[0011]  本開示の特定の態様は、少なくとも第１のパラメータを使用して生成された符号化アドレスが、第１のワイヤレスノードと第２のワイヤレスノードとを、符号化アドレスを含む少なくとも１つの第１のフレームのための同じ宛先であると識別するか否かを決定することと、符号化アドレスが第１のワイヤレスノードと第２のワイヤレスノードとを同じ宛先であると識別した場合、第１のパラメータを使用しないインジケーションを含む少なくとも１つの第２のフレームを生成することと、第１のワイヤレスノードまたは第２のワイヤレスノードのうちの少なくとも１つへの送信のために、少なくとも１つの第２のフレームを出力することと、を行うための命令を記憶する、コンピュータ可読媒体を提供する。
【００１２】
[0012]  本開示の特定の態様は、ワイヤレスノードを提供する。ワイヤレスノードは、少なくとも第１のパラメータを使用して生成された符号化アドレスが、第１のワイヤレスノードと第２のワイヤレスノードとを、符号化アドレスを含む少なくとも１つの第１のフレームのための同じ宛先であると識別するか否かを決定することと、符号化アドレスが第１のワイヤレスノードと第２のワイヤレスノードとを同じ宛先であると識別した場合、第１のパラメータを使用しないインジケーションを含む少なくとも１つの第２のフレームを生成することと、を行うように構成された処理システムと、第１のワイヤレスノードまたは第２のワイヤレスノードのうちの少なくとも１つに、少なくとも１つの第２のフレームを送信するように構成された送信機と、を含む。
【００１３】
[0013]  本開示の特定の態様はまた、本明細書で説明される動作を行うために、他の装置、方法、およびコンピュータ可読媒体も提供する。
【図面の簡単な説明】
【００１４】
【図１】[0014]  図１は、本開示の特定の態様に従った、例となるワイヤレス通信ネットワークの図を例示する。
【図２】[0015]  図２は、本開示の特定の態様に従った、例となるアクセスポイントおよびユーザ端末のブロック図を例示する。
【図３】[0016]  図３は、本開示の特定の態様に従った、例となるワイヤレスデバイスのブロック図を例示する。
【図４】[0017]  図４は、本開示の特定の態様に従った、例となるデュアル偏波パッチ素子（dual polarized patch element）を例示する。
【図５】[0018]  図５は、フェーズドアレイアンテナの実装における信号伝搬を例示する図である。
【図６】[0019]  図６は、従来のセクタスイープフレームフォーマットを例示する。
【図７】[0020]  図７は、本開示の特定の態様に従った、セクタスイーププロシージャ中にフレームを生成するための装置によって行われ得る、例となる動作を例示する。
【図８】[0021]  図８は、本開示の特定の態様に従った、図７に示された動作を行うことが可能な構成要素を例示する。
【図９】[0022]  図９は、本開示の特定の態様に従った、セクタスイーププロシージャ中にフレームを受信するための装置によって行われ得る、例となる動作を例示する。
【図１０】[0023]  図１０は、本開示の特定の態様に従った、図９に示された動作を行うことが可能な構成要素を例示する。
【図１１】[0024]  図１１は、本開示の特定の態様に従った、セクタスイープフレームフォーマットの例を例示する。
【図１２】[0025]  図１２は、本開示の特定の態様に従った、別の例となるセクタスイープフレームフォーマットを例示する。
【図１３】[0026]  図１３は、本開示の特定の態様に従った、別の例となるセクタスイープフレームフォーマットを例示する。
【図１４】[0027]  図１４は、本開示の特定の態様に従った、セクタフレームフォーマットの利点の例を提供する表形式の表現を例示する。
【図１５】[0028]  図１５は、本開示の別の特定の態様に従った、例示的なワイヤレス通信システムのブロック図を例示する。
【図１６】[0029]  図１６は、本開示の特定の態様に従った、セクタスイープフレームにおけるアドレス衝突を経験する例示的な通信システムのブロック図を例示する。
【図１７】[0030]  図１７は、本開示の特定の態様に従った、アドレス衝突を低減する方法に起因したセクタスイープフレームにおいてアドレス衝突が発生しない、例示的な通信システムのブロック図を例示する。
【図１８】[0031]  図１８は、本開示の特定の態様に従った、セクタスイープフレームにおけるアドレス衝突を低減する例示的な方法を例示する。
【図１９】[0032]  図１９は、本開示の特定の態様に従った、図１８に示された動作を行うことが可能な構成要素を例示する。
【発明の詳細な説明】
【００１５】
[0033]  本開示の態様は、セクタスイーププロシージャ中の時間を低減するのを手助けし得る。セクタスイープフレームの長さを低減することによって、例えば１つまたは複数のフィールドを圧縮または削除することによって、各セクタスイープフレームの送信時間が低減され得る。複数のセクタスイープフレームは通常、セクタスイーププロシージャにおいて送信され、低減は複雑である。１つの局が数百の局でセクタスイーププロシージャを行うことを考えると、各フレームの送信時間を数マイクロ秒だけでも低減することは、全体として数ミリ秒の低減をもたらし得る。
【００１６】
[0034]  下記において、添付の図面を参照して、本開示の様々な態様がより十分に説明される。しかしながら、本開示は、多くの異なる形式で具現化され得、本開示全体を通して提示される任意の具体的な構造または機能に限定されるものと解釈されるべきではない。むしろ、これらの態様は、本開示が徹底的かつ完全なものとなり、本開示の範囲が当業者に十分に伝わるように提供される。本明細書における教示に基づいて、当業者は、本開示の他の何らかの態様と独立して実装されようと、それらと組み合わされて実装されようと、本開示の範囲が、本明細書に開示された開示の任意の態様をカバーすることを意図していることを理解するべきである。例えば、本明細書に記載されている任意の数の態様を使用して、装置が実装され得るか、または方法が実施され得る。加えて、本開示の範囲は、本明細書に記載される開示の様々な態様に加えて、または本開示の様々な態様の他に、他の構造、機能、または構造および機能を使用して実施されるそのような装置または方法をカバーすることを意図している。本明細書に開示された開示のいずれの態様も、特許請求の範囲の１つまたは複数の要素によって具現化され得ることが理解されるべきである。
【００１７】
[0035]  特定の態様が本明細書で説明されるが、これらの態様の多くのバリエーションおよび置換が、本開示の範囲内に含まれる。好ましい態様のいくつかの利益および利点が述べられるが、本開示の範囲は、特定の利益、使用、または目的に限定されることを意図しない。むしろ、本開示の態様は、異なるワイヤレス技術、システム構成、ネットワーク、および送信プロトコルに広く適用可能であることを意図しており、そのうちのいくつかは、図面および好ましい態様の下記の説明において例として例示される。例えば、送信プロトコルは、米国電気電子学会（ＩＥＥＥ）８０２．１１プロトコルを含み得る。いくつかの態様では、８０２．１１プロトコルは、８０２．１１ａｙプロトコルおよびそれ以降のプロトコルを含み得る。詳細な説明および図面は、限定ではなく、本開示の単なる例示であり、本開示の範囲は、添付の特許請求の範囲およびそれらの均等物によって定義されている。
【００１８】
＜例となるワイヤレス通信システム＞
[0036]  本明細書で説明される技法は、直交多重方式に基づく通信システムを含む、様々なブロードバンドワイヤレス通信システムのために使用され得る。そのような通信システムの例は、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどを含む。ＳＤＭＡシステムは、複数のユーザ端末に属するデータを同時に送信するために、十分に異なった方向を利用し得る。ＴＤＭＡシステムは、各タイムスロットが異なるユーザ端末に割り当てられている、異なるタイムスロットに送信信号を分割することにより、複数のユーザ端末が同じ周波数チャネルを共有することを可能にし得る。ＯＦＤＭＡシステムは、直交周波数分割多重（ＯＦＤＭ）を利用し、それは、システム帯域幅全体を複数の直交サブキャリアに分割する変調技法である。これらサブキャリアはまた、トーン、ビンなどとも呼ばれ得る。ＯＦＤＭでは、各サブキャリアは、データで独立して変調され得る。ＳＣ−ＦＤＭＡシステムは、システム帯域幅にわたって分散されたサブキャリア上で送信するためにインターリーブされたＦＤＭＡ（ＩＦＤＭＡ）を利用し、隣接サブキャリアのブロック上で送信するために局所化されたＦＤＭＡ（ＬＦＤＭＡ）を利用し、または、隣接サブキャリアの複数のブロック上で送信するために強化型ＦＤＭＡ（ＥＦＤＭＡ）を利用し得る。概して、変調シンボルは、ＯＦＤＭでは周波数領域で、ＳＣ−ＦＤＭでは時間領域で送られる。ＯＦＤＭのための周波数オフセットもまた考慮される。
【００１９】
[0037]  本明細書における教示は、様々なワイヤードまたはワイヤレス装置（例えば、ノード）に組み込まれ得る（例えば、それらの中で実現されるか、またはそれらによって実行される）。いくつかの態様では、本明細書での教示に従って実装されるワイヤレスノードは、アクセスポイントまたはアクセス端末を含み得る。
【００２０】
[0038]  ＡＰ１１０は、ノードＢ、無線ネットワークコントローラ（ＲＮＣ）、発展型ノードＢ（ｅＮＢ）、基地局コントローラ（「ＢＳＣ）、基地トランシーバ局（ＢＴＳ）、基地局（ＢＳ）、トランシーバ機能（ＴＦ）、無線ルータ、無線トランシーバ、基本サービスセット（ＢＳＳ）、拡張サービスセット（ＥＳＳ）、無線基地局（ＲＢＳ）、または何らかの他の専門用語を含み、これらとして実装され、または、これらとして既知であり得る。
【００２１】
[0039]  アクセス端末（ＡＴ）は、加入者局、加入者ユニット、移動局（ＭＳ）、リモート局、リモート端末、ユーザ端末、ユーザエージェント、ユーザデバイス、ユーザ機器、ユーザ局、または何らかの他の専門用語を含み、これらとして実装され、または、これらとして既知であり得る。いくつかの実装では、アクセス端末は、セルラ電話、コードレス電話、セッション開始プロトコル（ＳＩＰ）電話、無線ローカルループ（ＷＬＬ）局、パーソナルデジタルアシスタント（ＰＤＡ）、ワイヤレス接続能力を有するハンドヘルドデバイス、局（ＳＴＡ）、またはワイヤレスモデムに接続された何らかの他の適切な処理デバイスを含み得る。従って、本明細書で教示される１つまたは複数の態様は、電話（例えば、セルラフォンまたはスマートフォン）、コンピュータ（例えば、ラップトップ）、タブレット、ポータブル通信デバイス、ポータブルコンピューティングデバイス（例えば、パーソナルデータアシスタント）、エンターテインメントデバイス（例えば、音楽またはビデオデバイス、または衛星ラジオ）、全地球測位システム（ＧＰＳ）デバイス、あるいは、ワイヤレスまたはワイヤード媒体を介して通信するように構成された任意の他の適切なデバイスに組み込まれ得る。いくつかの態様では、ノードは、ワイヤレスノードである。このようなワイヤレスノードは、例えば、ワイヤードまたはワイヤレス通信リンクを介した、ネットワーク（例えば、インターネットまたはセルラネットワークなどの広域ネットワーク）のための接続、またはネットワークへの接続を提供し得る。
【００２２】
[0040]  図１は、本開示の態様が実施され得る、アクセスポイントおよびユーザ端末を有する多元接続多入力多出力（ＭＩＭＯ）システム１００を例示する。
【００２３】
[0041]  例えば、アクセスポイント１１０またはユーザ端末１２０は、本明細書で説明される技法を利用して、セクタスイーププロシージャ中に送信のためのフレームを生成し得る。いくつかのケースでは、ユーザ端末は、ゲームコントローラなどであり得、技法は、ゲームコントローラのセクタスイーププロシージャ中に、（アクセスポイントとしての役割を果たす）ゲーム局への送信のためのフレームを生成するように適用され得る。
【００２４】
[0042]  簡略化のために、１つのアクセスポイント１１０のみが図１に示される。アクセスポイント１１０は、一般に、ユーザ端末１２０と通信する固定局であり、基地局または何らかの他の用語でも呼ばれ得る。ユーザ端末１２０は、固定またはモバイルであり得、モバイル局、ワイヤレスデバイス、または何らかの他の用語でも呼ばれ得る。アクセスポイント１１０は、ダウンリンクおよびアップリンク上で任意の所与の瞬間に１つまたは複数のユーザ端末１２０と通信し得る。ダウンリンク（すなわち、順方向リンク）は、アクセスポイント１１０からユーザ端末１２０への通信リンクであり、アップリンク（すなわち、逆方向リンク）は、ユーザ端末からアクセスポイント１１０への通信リンクである。ユーザ端末はまた、別のユーザ端末とピア・ツー・ピアで通信し得る。システムコントローラ１３０は、アクセスポイント１１０と結合し、かつそれに調整および制御を提供する。
【００２５】
[0043]  下記の開示の一部は、空間分割多元接続（ＳＤＭＡ）によって通信することが可能なユーザ端末１２０が説明しているが、ある特定の態様に関して、ユーザ端末１２０はまた、ＳＤＭＡをサポートしないいくつかのユーザ端末も含み得る。よって、そのような態様に関して、ＡＰ１１０は、ＳＤＭＡユーザ端末と非ＳＤＭＡユーザ端末の両方と通信するように構成され得る。このアプローチは、好都合なことに、より古いバージョンのユーザ端末（「レガシ」局）が展開され続けることを可能にし、それらの耐用寿命を延長し、より新しいＳＤＭＡユーザ端末が適宜に導入されることを可能にし得る。
【００２６】
[0044]  一例では、システム１００は、アクセスポイント１１０とユーザ端末１２０との間で通信する直接シーケンススペクトル拡散（ＤＳＳＳ：direct sequence spread spectrum）変調技法を利用する。スペクトル拡散技法の使用は、システムがより長いシンボル間干渉（ＩＳＩ：inter symbol interference）チャネルを容易に管理および動作することを可能にする。特に、符号分割多元接続（ＣＤＭＡ）は、従来のセルラシステムと比較すると、このサイズのシステムにおけるユーザキャパシティの増加を容易に促進する。より具体的には、アクセスポイント１１０は、通信信号を処理するためのいくつかの変調器−復調器ユニットまたはスペクトル拡散モデムを使用する、あらかじめ定義された地理的領域、またはセル内にあり得る。通常の動作中、アクセスポイント１１０におけるモデムは、必要に応じて、通信信号の転送をアコモデートする（accommodate）ために、各ユーザ端末１２０に割り当てられる。モデムが複数の受信機を用いる場合、１つのモデムは、ダイバーシティ処理をアコモデートし、そうでなければ、複数のモデムが組み合わせて使用され得る。
【００２７】
[0045]  システム１００は、ダウンリンクおよびアップリンク上のデータ送信のために、複数の送信アンテナおよび複数の受信アンテナを用いる。アクセスポイント１１０は、Ｎａｐ Ｎａｐ個のアンテナを装備され、ダウンリンク送信については多入力（ＭＩ）、アップリンク送信については多出力（ＭＯ）を表す。Ｋ個の選択されたユーザ端末１２０のセットは集合的に、ダウンリンク送信については多出力、アップリンク送信については多入力を表す。純粋なＳＤＭＡに関して、Ｋ個のユーザ端末のためのデータシンボルストリームが、何らかの手段によってコード、周波数、または時間で多重化されていない場合に、Ｎａｐ≧Ｋ≧１であることが望ましい。ＴＤＭＡ技法、ＣＤＭＡを用いる異なるコードチャネル、ＯＦＤＭを用いる互いに素な（disjoint）サブバンドのセットなどを使用して、データシンボルストリームが多重化され得る場合に、Ｋは、Ｎａｐよりも大きくなり得る。各選択されたユーザ端末は、アクセスポイント１１０にユーザ固有のデータを送信し、および／またはそれからユーザ固有のデータを受信する。概して、各選択されたユーザ端末は、１つまたは複数のアンテナ（すなわち、Ｎｕｔ≧１）を装備し得る。Ｋ個の選択されたユーザ端末は、同じまたは異なる数のアンテナを有し得る。
【００２８】
[0046]  ＳＤＭＡシステムは、時分割複信（ＴＤＤ）システムまたは周波数分割複信（ＦＤＤ）システムであり得る。ＴＤＤシステムに関して、ダウンリンクとアップリンクとが、同一の周波数帯域を共有する。ＦＤＤシステムに関して、ダウンリンクおよびアップリンクは、異なる周波数帯域を使用する。ＭＩＭＯシステム１００はまた、送信のために単一のキャリアまたは複数のキャリアを利用し得る。各ユーザ端末は、（例えば、コストを抑え続けるために）単一のアンテナまたは（例えば、追加のコストがサポートされることができる場合には）複数のアンテナを装備され得る。ユーザ端末１２０が、各タイムスロットが異なるユーザ端末１２０に割り当てられている、異なるタイムスロットに送信／受信を分割することにより、同じ周波数チャネルを共有する場合、システム１００は、ＴＤＭＡシステムでもあり得る。
【００２９】
[0047]  図２は、本開示の態様が実施され得るＭＩＭＯシステム１００における、アクセスポイント１１０と２つのユーザ端末（１２０ａおよび１２０ｂ）とのブロック図を例示する。アクセスポイント１１０は、Ｎａｐ個のアンテナ（２２４ａ〜２２４ｐ）を装備している。ユーザ端末１２０ａは、Ｎｕｔ，ａ個のアンテナ（２５２ａａ〜２５２ａｕ）を装備しており、ユーザ端末１２０ｂは、Ｎｕｔ，ｂ個のアンテナ（２５２ｂａ〜２５２ｂｕ）を装備している。アクセスポイント１１０は、ダウンリンクでは送信エンティティであり、アップリンクでは受信エンティティである。各ユーザ端末１２０は、アップリンクでは送信エンティティであり、ダウンリンクでは受信エンティティである。本明細書で使用される場合、「送信エンティティ」は、ワイヤレスチャネルを介してデータを送信することが可能な独立して動作する装置またはデバイスであり、「受信エンティティ」は、ワイヤレスチャネルを介してデータを受信することが可能な独立して動作する装置またはデバイスである。下記の説明では、下付きの文字「ｄｎ」はダウンリンクを表し、下付きの文字「ｕｐ」はアップリンクを表し、Ｎｕｐ個のユーザ端末は、アップリンクでの同時送信のために選択され、Ｎｄｎ個のユーザ端末は、ダウンリンクでの同時送信のために選択されるが、Ｎｕｐは、Ｎｄｎと等しくても等しくなくてもよく、ＮｕｐとＮｄｎとは、各スケジューリング間隔について静的な値であり得るか、または変化することもできる。ビームステアリングまたは何らかの他の空間処理技法が、アクセスポイント１１０およびユーザ端末１２０において使用され得る。
【００３０】
[0048]  アップリンク上では、アップリンク送信のために選択された各ユーザ端末１２０において、送信（ＴＸ）データプロセッサ２８８が、データソース２８６からトラヒックデータを受信し、コントローラ２８０から制御データを受信する。ＴＸデータプロセッサ２８８は、ユーザ端末のために選択されたレートに関連付けられたコーディングおよび変調方式に基づいて、ユーザ端末のためのトラフィックデータを処理（例えば、符号化、インターリーブ、および変調）し、データシンボルストリームを提供する。ＴＸ空間プロセッサ２９０が、データシンボルストリーム上で空間処理を行い、Ｎｕｔ個のアンテナのためのＮｕｔ個の送信シンボルストリームを提供する。各送信機ユニット（ＴＭＴＲ）２５４が、アップリンク信号を生成するために、それぞれの送信シンボルストリームを受信および処理（例えば、アナログ変換、増幅、フィルタリング、周波数アップコンバート）する。Ｎｕｔ，ａ送信機ユニット（２５４ａａ〜２５４ａｕ）は、Ｎｕｔ，ａ個のアンテナ（２５２ａａ〜２５２ａｕ）からアクセスポイント１１０への送信のためのＮｕｔ，ａ個のアップリンク信号を提供する。同様に、Ｎｕｔ，ｂ送信機ユニット（２５４ｂａ〜２５４ｂｕ）は、Ｎｕｔ，ｂ個のアンテナ（２５２ｂａ〜２５２ｂｕ）からアクセスポイント１１０への送信のためにＮｕｔ，ｂ個のアップリンク信号を提供する。
【００３１】
[0049]  Ｎｕｐ個のユーザ端末が、アップリンク上での同時送信のためにスケジューリングされ得る。これらのユーザ端末の各々は、そのデータシンボルストリーム上で空間処理を行い、その送信シンボルストリームのセットをアップリンク上でアクセスポイント１１０に送信する。スケジューリングのベース（basis）は、ＡＰベースのサービス期間スケジューリング（AP based service period scheduling）を含み得る。サービス期間スケジューリングは、アウェイク状態に入ること、ＡＰとデータとを交信させる（transceiving）サービス期間を構成すること、サービス期間中にＡＰとデータとを交信させること、およびサービス期間が終わったときにドーズ状態（doze state）に入ることを含み得る。サービス期間は、１つまたは複数のサービス期間の持続時間を示す持続時間フィールドを含む、サービス期間開始要求フレームを送ることをＡＴによって開始され得る。
【００３２】
[0050]  アクセスポイント１１０において、Ｎａｐ個のアンテナ（２２４ａ〜２２４ｐ）は、アップリンク上で送信している全てのＮｕｐ個のユーザ端末からアップリンク信号を受信する。各アンテナ（２２４ａ〜２２４ｐ）は、受信された信号をそれぞれの受信機ユニット（ＲＣＶＲ）２２２に提供する。受信機ユニット（２２２ａ〜２２２ｐ）の各々は、送信機ユニット（２５４ｂａ〜２５４ｂｕ）によって行われるものへの相補的な処理を行い、受信されたシンボルストリームを提供する。受信機（ＲＸ）空間プロセッサ２４０は、Ｎａｐ個の受信機ユニット（２２２ａ〜２２２ｐ）からのＮａｐ個の受信されたシンボルストリームにおいて受信機空間処理を行い、Ｎｕｐ個の復元されたアップリンクデータシンボルストリームを提供する。受信機空間処理は、チャネル相関マトリクス反転（ＣＣＭＩ）、最小平均二乗誤差（ＭＭＳＥ）、ソフト干渉除去（ＳＩＣ）、または何らかの他の技法に従って行われる。各復元されたアップリンクデータシンボルストリームは、それぞれのユーザ端末によって送信されたデータシンボルストリームの推定値である。ＲＸデータプロセッサ２４２は、復号されたデータを取得するために、そのストリームのために使用されたレートに従って、各復元されたアップリンクデータシンボルストリームを処理（例えば、復調、デインターリーブ、および復号）する。各ユーザ端末のための復号されたデータが、記憶のためにデータシンク２４４に、および／または更さらなる処理のためにコントローラ２３０に提供され得る。
【００３３】
[0051]  ダウンリンク上では、アクセスポイント１１０において、ＴＸデータプロセッサ２１０が、データソース２０８から、ダウンリンク送信のためにスケジューリングされたＮｄｎ個のユーザ端末のためのトラフィックデータを受信し、コントローラ２３０から制御データを受信し、また場合によってはスケジューラ２３４から他のデータを受信する。様々なタイプのデータが、異なるトランスポートチャネル上で送られ得る。ＴＸデータプロセッサ２１０は、そのユーザ端末のために選択されたレートに基づいて、各ユーザ端末のためのトラフィックデータを処理する（例えば、符号化、インターリーブ、および変調する）。ＴＸデータプロセッサ２１０は、Ｎｄｎ個のユーザ端末にＮｄｎ個のダウンリンクデータシンボルストリームを提供する。ＴＸ空間プロセッサ２２０は、Ｎｄｎ個のダウンリンクデータシンボルストリーム上で（本開示で説明されるように、プリコーディングまたはビームフォーミングなどの）空間処理を行い、Ｎａｐ個のアンテナのためのＮａｐ個の送信シンボルストリームを提供する。各送信機ユニット２２２は、ダウンリンク信号を生成するために、それぞれの送信シンボルストリームを受信および処理する。Ｎａｐ個の送信機ユニット２２２は、Ｎａｐ個のアンテナ２２４からユーザ端末への送信のためのＮａｐ個のダウンリンク信号を提供する。
【００３４】
[0052]  各ユーザ端末１２０において、Ｎｕｔ個のアンテナ２５２は、アクセスポイント１１０から、Ｎａｐ個のダウンリンク信号を受信する。各受信機ユニット２５４は、関連付けられたアンテナ２５２からの受信信号を処理し、受信シンボルストリームを提供する。ＲＸ空間プロセッサ２６０が、Ｎｕｔ個の受信機ユニット２５４からのＮｕｔ個の受信シンボルストリームに、受信機空間処理を行い、ユーザ端末のための復元されたダウンリンクデータシンボルストリームを提供する。受信機空間処理は、ＣＣＭＩ、ＭＭＳＥ、または何らかの他の技法に従って実行される。ＲＸデータプロセッサ２７０は、ユーザ端末ための復号されたデータを取得するために、復元されたダウンリンクデータシンボルストリームを処理（例えば、復調、デインターリーブ、および復号）する。
【００３５】
[0053]  各ユーザ端末１２０で、チャネル推定器２７８は、ダウンリンクチャネル応答を推定し、チャネル利得推定値、信号対雑音比（ＳＮＲ）推定値、雑音分散などを含み得る、ダウンリンクチャネル推定値を提供する。同様に、チャネル推定器２２８は、アップリンクチャネル応答を推定し、アップリンクチャネル推定値を提供する。各ユーザ端末のためのコントローラ２８０は通常、ユーザ端末のための空間フィルタマトリクスを、そのユーザ端末のためのダウンリンクチャネル応答マトリクスＨｄｎに基づいて導出する。コントローラ２３０は、アクセスポイント１１０に関する空間フィルタマトリクスを、有効アップリンクチャネル応答マトリクスＨｕｐ，ｅｆｆに基づいて導出する。ユーザ端末ごとのコントローラ２８０は、アクセスポイント１１０にフィードバック情報（例えば、ダウンリンクおよび／またはアップリンク固有ベクトル、固有値、ＳＮＲ推定値など）を送り得る。コントローラ２３０および２８０はまた、それぞれ、アクセスポイント１１０およびユーザ端末１２０における様々な処理ユニットの動作を制御する。
【００３６】
[0054]  本開示の特定の態様によると、図２で示される様々な処理は、本明細書で説明される様々な技法を行うために、それぞれ、ＡＰ１１０および／またはユーザ端末１２０における動作を指示し得る。
【００３７】
[0055]  図３は、ＭＩＭＯシステム１００内で用いられ得、かつ本開示の態様が実施され得る、ワイヤレスデバイス３０２において利用され得る様々な構成要素を例示する。ワイヤレスデバイス３０２は、本明細書で説明される様々な方法を実装するように構成され得るデバイスの例である。ワイヤレスデバイス３０２は、アクセスポイント１１０またはユーザ端末１２０であり得る。
【００３８】
[0056]  ワイヤレスデバイス３０２は、処理回路３０４を含む処理システム３２４、または、ワイヤレスデバイス３０２の動作を制御するプロセッサ、および処理信号において使用するためのデジタル信号処理（ＤＳＰ）３２０を含み得る。処理回路３０４はまた、中央処理ユニット（ＣＰＵ）とも呼ばれ得る。読み取り専用メモリ（ＲＯＭ）とランダムアクセスメモリ（ＲＡＭ）との両方を含み得るメモリデバイス（１つまたは複数の）３０６は、処理回路３０４に命令およびデータを提供する。メモリデバイス３０６の一部分はまた、不揮発性ランダムアクセスメモリ（ＮＶＲＡＭ）を含み得る。処理回路３０４は通常、メモリデバイス３０６内に記憶されたプログラム命令に基づいて論理および算術演算を行う。メモリデバイス３０６における命令は、本明細書で説明される方法を実装するために実行可能であり得る。処理回路３０４は、例えば、セクタスイーププロシージャ中の送信のためのおよび／または本明細書で説明される技法についての他の処理のためのフレームを生成するために、図７における動作７００を行うかまたは指示し得、並びに／あるいは、セクタスイーププロシージャ中にそのようなフレームを処理するために、図９における動作９００を行うかまたは指示し得る。
【００３９】
[0057]  ワイヤレスデバイス３０２はまた、ワイヤレスデバイス３０２と遠隔のロケーションとの間でのデータの送信および受信を可能にする送信機回路３１０および受信機回路３１２（または、単に送信機および受信機）を含み得る、ハウジング３０８を含み得る。送信機回路３１０および受信機回路３１２は、トランシーバ回路３１４に組み込まれ得る。単一のまたは複数の送信アンテナ３１６は、ハウジング３０８に取り付けられ、トランシーバ回路３１４を形成するために送信機回路３１０および／または受信機回路３１２に電気的に結合され得る。ワイヤレスデバイス３０２はまた、複数の送信機、複数の受信機、および複数のトランシーバ（図示せず）を含み得る。トランシーバ回路３１４および単一または複数の送信アンテナ３１６は、無線周波数（ＲＦ）フロントエンド、または単にインターフェースと本明細書では呼ばれ得る。
【００４０】
[0058]  ワイヤレスデバイス３０２はまた、トランシーバ回路３１４によって受信される信号のレベルを検出および定量化する試みにおいて使用され得る信号検出回路３１８、または単一の検出器を含み得る。信号検出回路３１８は、そのような信号を、総エネルギー、シンボルあたりの副搬送波ごとのエネルギー、電力スペクトル密度および他の信号として検出し得る。
【００４１】
[0059]  ワイヤレスデバイス３０２の様々な構成要素は、データバスに加えて、電力バス、制御信号バス、およびステータス信号バスを含み得る、バスシステム３２２によって共に結合され得る。バスシステム３２２は、バスインターフェース、または単にインターフェースと本明細書では呼ばれ得る。いくつかのケースでは、バスシステム３２２は、送信のためのデータを出力し得る。例えば、処理システム３２４は、バスシステム３２２を介して、送信のためにトランシーバ回路３１４にデータを出力し得る。同様に、実際にデータを受信するのではなく、バスシステム３２２は、別のデバイスから受信したフレームを取得するように動作し得る。例えば、プロセッサは、バスシステム３２２を介して、トランシーバ回路３１４およびアンテナ３１６からフレームを取得（または受信）し得る。
【００４２】
[0060]  ビームフォーミング処理は、ミリメートル波スペクトルにおける通信についての問題のうちの１つを解決し得、それは、その高いパスロスである。このように、図２に示されるように、多数のアンテナが、通信範囲を拡張するためにビームフォーミング利得を活用するように、各トランシーバに配置される。すなわち、同じ信号は、わずかに異なる時間においてであるが、アレイにおける各アンテナから送られる。
【００４３】
[0061]  例示的な実施形態によると、ＢＦ処理は、セクタレベルスイープ（ＳＬＳ）フェーズおよびビーム微調整（beam refinement）ステージを含む。ＳＬＳフェーズでは、ワイヤレスノードのうちの１つが、イニシエータセクタスイープを行うことによってイニシエータとして機能し、その後に応答局（responding station）による送信セクタスイープ（ここで、応答局は、レスポンダセクタスイープ（responder sector sweep）を行う）が続く。セクタは、セクタＩＤに対応する受信アンテナパターンまたは送信アンテナパターンのいずれかである。上述されたように、局は、アンテナアレイ（例えば、フェーズドアンテナアレイ）における１つまたは複数のアクティブなアンテナを含むトランシーバであり得る。
【００４４】
[0062]  ＳＬＳフェーズは通常、開始局（initiating station）がセクタスイープフィードバックを受信し、セクタアクノレッジ（ＡＣＫ）を送った後に終了し、それによってＢＦを確立する。イニシエータ局および応答局の各トランシーバは、異なるセクタを介したセクタスイープ（ＳＳＷ）フレームの受信機セクタスイープ（ＲＸＳＳ）受信を行うために構成され、ここで、１スイープ（a sweep）は、異なるセクタを介した複数の指向性マルチギガビット（ＤＭＧ：directional Multi-gigabit）ビーコンフレームまたは複数のセクタスイープ（ＳＳＷ）の送信（ＴＸＳＳ）と連続した受信との間で行われ、１スイープは、連続した送信の間で行われる。
【００４５】
[0063]  ビーム微調整フェーズ中、各局は、送信機または受信機におけるアンテナ構成が送信間で変更され得る、ショートビームフォーミングフレーム間スペース（ＳＢＩＦＳ：short beamforming space）間隔によって分離される、一連の送信をスイープし得る。言い換えると、ビーム微調整は、局が、送信および受信の両方のために、そのアンテナ構成（またはアンテナ重みベクトル）を向上させ得る処理である。すなわち、各アンテナは、アンテナ重みベクトル（ＡＷＶ）を含み、それは、アンテナアレイの各素子についての励振（excitation）（振幅および位相）を説明する重みのベクトルをさらに含む。
【００４６】
[0064]  図４は、本開示の特定の態様に従った、用いられ得る例となるデュアル偏波パッチ素子４００を例示する。図４に示されるように、アンテナアレイの単一の素子が、複数の偏波アンテナを含み得る。複数の素子は、アンテナアレイを形成するために共に組み合わされ得る。これら偏波アンテナは、放射状に間隔を置かれ得る。例えば、図４に示されるように、水平偏波アンテナ４１０および垂直偏波アンテナ４２０に対応する、２つの偏波アンテナが、直角に（perpendicularly）配列され得る。代替的に、任意の数の偏波アンテナが使用され得る。代替的にまたはこれに加えて、素子の１つまたは両方のアンテナがまた、円偏波され得る。
【００４７】
[0065]  図５は、フェーズドアレイアンテナの実装における信号伝搬５００を例示する図である。フェーズドアレイアンテナは、同一の素子５１０ａ〜５１０ｄ（以下では、個別に素子５１０または集合的に複数の素子５１０と呼ばれる）を使用する。信号が伝搬される方向は、各素子５１０についてほぼ同一の利得をもたらし、一方で、複数の素子５１０の位相は異なる。これら素子によって受信される信号は、所望の方向における正確な利得でコヒーレントビームに組み合わされる。アンテナ設計のさらなる考慮すべきことは、電界の予期される方向である。送信機および／または受信機が互いに対して回転されるケースでは、方向の変更に加えて、電界もまた回転される。これは、フェーズドアレイが、ある特定の極性に一致するアンテナまたはアンテナフィードを使用することによって、電界の回転を処理できることと、極性変化のイベントにおいて、他方の極性または組み合わされた極性に適合することが可能であることとを必要とする。
【００４８】
[0066]  信号極性についての情報は、信号の送信機の態様を決定するために使用され得る。信号の電力は、異なる方向において偏波された異なるアンテナによって測定され得る。これらアンテナは、これらアンテナが直交方向において偏波されるように配列され得る。例えば、第１のアンテナが水平偏波され、第２のものが垂直偏波されるように、第１のアンテナは、第２のアンテナに対して直角に配列され得、ここで、第１のアンテナは水平軸を表し、２のアンテナは垂直軸を表す。互いに関して様々な角度において間隔を置かれた、追加のアンテナもまた含まれ得る。一度受信機が送信の極性を決定すると、受信機は、受信された信号にアンテナを一致させることによる受信を使用することによって、性能を最適化し得る。
【００４９】
[0067]  上述されるように、セクタスイーププロシージャは、例えば、後続のビームフォーミング修正プロトコル（ＢＲＰ：beamforming refinement protocol）もまた含んでいるＩＥＥＥ８０２．１１ａｙ規格に従って、全体的なビームフォーミング（ＢＦ）トレーニングプロセスの一部として行われ得る。ＢＦトレーニングプロセスは通常、一対のミリメートル波局、例えば、受信機と送信機、によって用いられる。これら局の各ペアリングは、それらのネットワークデバイス間の後続の通信のために必要なリンクバジェットを達成する。従って、ＢＦトレーニングは、セクタスイープを使用する、ＢＦトレーニングフレーム送信の双方向シーケンスであり、各局が送信および受信の両方のための適切なアンテナシステム設定を決定することを可能にするために必要な信号を提供する。ＢＦトレーニングが成功裏に完了した後、ミリメートル波通信リンクは、最適な受信および／または送信アンテナ設定で確立され得る。
【００５０】
＜セクタスイープ時間の例となる低減＞
[0068]  上述されるように、本開示の態様は、セクタスイーププロシージャ中の時間を低減するのを手助けし得る。セクタスイープフレームのための圧縮されたフレームフォーマットを利用することによって（例えば、１つまたは複数のフィールドから１つまたは複数のビットを圧縮または削除するか、あるいは１つまたは複数のフレームの全体を削除することによって）、各セクタスイープフレームの送信時間が低減され得る。この技法は、ゲームコントローラ、携帯電話などのような、セクタスイープを含むビームフォーミングトレーニングに参加するデバイスのいずれのタイプにも適用され得る。
【００５１】
[0069]  図６は、セクタスイーププロシージャに使用され得る、従来のセクタスイープ（ＳＳＷ）フレームフォーマットを例示する。図１１、図１２、および図１３を参照して下記でより詳細に説明されるように、圧縮されたフレームフォーマットは、（例えば、より少ないビットが同じ情報を搬送するために使用されるように）図６に例示されるフィールドのうちの１つまたは複数を圧縮することによって、またはフィールド全体の１つまたは複数を削除することによって、生成され得る。従来のセクタスイープフレームフォーマット６００は、フレーム制御フィールド６０２、持続時間フィールド６０４、受信アドレス（ＲＡ）フィールド６０６、送信機アドレス（ＴＡ）フィールド６０８、セクタスイープ（ＳＳＷ）フィールド６１０、セクタスイープ（ＳＳＷ）フィードバックフィールド６１２、およびフレーム制御シーケンスフィールド６１４を含む。
【００５２】
[0070]  図７は、本開示の特定の態様に従った、セクタスイーププロシージャ中に圧縮されたフレームフォーマットを使用してセクタスイープフレームを生成するための装置によって行われ得る、例となる動作７００を例示する。
【００５３】
[0071]  装置によって行われる動作７００は、セクタスイーププロシージャ中に送信のためのフレームを生成することによって７０２において始まり、各フレームは、装置の送信機アドレスまたは生成されたフレームの対象とする（intended）受信側の受信機アドレスのうちの少なくとも１つに基づいて決定され、かつ送信機および受信機アドレスよりも少ないビットを有する、アドレスフィールドを含む。例えば、アドレスフィールドは、（入力として送信機および受信機アドレスを用いた）送信機および受信機アドレスの両方に適用されたハッシュ関数を使用して生成され得、結果として生じた値の出力は、組み合わせられた送信機および受信機アドレスよりも少ないビットを有するか、またはいくつかのケースでは、送信機アドレスまたは受信機アドレスのいずれかよりも少ないビットを有し得る。７０４において、インターフェースは、セクタスイーププロシージャ中に送信のためのフレームを出力する。
【００５４】
[0072]  図８は、図７の例示的な方法に対応するワイヤレス通信のための装置８００を例示する。ワイヤレス通信のための装置８００は、ワイヤレスデバイス３０２に対応し、セクタスイーププロシージャ中に送信のためのフレームを生成するための手段８０２を含み、各フレームは、装置の送信機アドレスまたは生成されたフレームの対象とする受信側の受信機アドレスのうちの少なくとも１つに基づいて決定され、かつ送信機アドレスおよび受信機アドレスよりも少ないビットを有する、アドレスフィールドを含む。例えば、生成するための手段８０２は、処理システム３２４を含み得る。処理システム３２４は、外部ソースから受信された１つまたは複数の他のフレームで受信された情報に基づいてフレームを生成し得る。
【００５５】
[0073]  ワイヤレス通信のための装置８００はまた、セクタスイーププロシージャ中に送信のためのフレームを出力するための手段８０４も含み得る。例えば、出力するための手段８０４は、トランシーバ回路／インターフェース３１４を含み得る。生成するための手段８０２によって生成されたフレームは、セクタスイーププロシージャ中にトランシーバ回路／インターフェース３１４によって出力または通信され得る。
【００５６】
[0074]  図９は、本開示の特定の態様に従った、セクタスイーププロシージャ中に、圧縮されたセクタスイープフレームを処理するための装置によって行われ得る、例となる動作９００を例示する。言い換えると、動作９００は、図７で上述された動作７００に従って、圧縮されたセクタスイープフレームを生成する局を用いて、ビームフォーミングトレーニングに参加する局によって行われる相補的動作に対応し得る。
【００５７】
[0075]  装置によって行われる動作９００は、セクタスイーププロシージャ中にフレームを取得することによって９０２において始まり、各フレームは、フレームの送信機の送信機アドレスおよびフレームの対象とする受信側の受信機アドレスよりも少ないビットを有するアドレスフィールドを含む。９０４において、装置は、アドレスフィールドおよび追加の情報に基づいて、送信機アドレスまたは受信機アドレスのうちの少なくとも１つを決定し、９０６において、装置は、その決定に基づいてフレームの残りの部分を処理する。例えば、（まるでそれがフレーム中に含まれていないかのような、「付帯的な」情報（”side” information）と見なされ得る）追加の情報は、受信機に記憶される１つまたは複数の実際のアドレスであり得る。このようなケースでは、（フレームを生成したときに適用される）圧縮は、記憶されたアドレス間で選択するためのアドレスフィールドの値を設定し得る。受信デバイスは、アドレスフィールドの値によって示された受信機アドレスが（それが対象とする受信側であることを検証するために）それ自体と一致することを調査し得る。いくつかのケースでは、追加の情報は、送信機および受信機アドレスに基づいて、アドレスフィールドの値を生成するために使用されるハッシュ値を示し得る。この方法では、受信デバイスは、どの送信機および受信機アドレスが（ハッシュ関数が適用されたとき）アドレスフィールドで受信される値をもたらしたかを決定することが可能であり得る。いくつかのケースでは、追加の情報は、例えば、アソシエーションプロシージャ中に、（送信デバイスによって）受信デバイスに提供され得る。
【００５８】
[0076]  いくつかのケースでは、圧縮フレームフォーマットは、装置の送信機アドレスまたは（例えば、ハッシュ関数を適用することによって）生成されたものの対象とする受信側の受信機アドレスのうちの少なくとも１つに基づいて決定されたアドレスフィールドを含み得る。この方法で達成される圧縮の量は、変化し得る。例えば、図１１、１２、および１３で示されるように、送信機アドレス（ＴＡ）フィールドおよび受信機アドレス（ＲＡ）フィールドは、各々６バイトであり、１バイトまたはそれより少ない長さで単一のフィールドを形成するために組み合わせられ得る。
【００５９】
[0077]  図１０は、図９の例示的な方法に対応するワイヤレス通信のための装置１０００を例示する。ワイヤレス通信のための装置１０００は、セクタスイーププロシージャ中にフレームを取得するための手段１００２を含み得、各フレームは、フレームの送信機の送信機アドレスおよびフレームの対象とする受信側の受信機アドレスよりも少ないビットを有するアドレスフィールドを含む。例えば、取得するための手段１００２は、トランシーバ回路／インターフェース３１４、およびバスインターフェース３２２を含み得る。取得するための手段１００２は、セクタスイーププロシージャ中に外部ソースからフレームを受信し、処理システム３２４にそれらのフレームを通信し得る。
【００６０】
[0078]  ワイヤレス通信のための装置１０００は、装置に利用可能な情報およびアドレスフィールドに基づいて、送信機アドレスまたは受信機アドレスのうちの少なくとも１つを決定するための手段１００４を含み得る。例えば、ワイヤレス通信のための装置１０００によって受信されたフレームは、処理システム３２４が送信機アドレスおよび／または受信機アドレスとして確立し得る、少なくとも１つのフィールド中の情報を含み得る。
【００６１】
[0079]  ワイヤレス通信のための装置１０００は、決定に基づいてフレームの残りの部分を処理するための手段１００６を含み得る。決定するための手段１００４と同様に、処理するための手段１００６は、処理システム３２４に対応し得る。送信機および受信機アドレスに基づいて、処理するための手段１００６は、アドレス情報に基づいて受信フレームを処理することを行い得る。
【００６２】
[0080]  図１１、図１２、および図１３は、例となる圧縮されたセクタスイープフレームフォーマットを例示する。圧縮されたセクタスイープフレームの各々は、ＩＥＥＥ８０２．１１規格で定義されるようなゴレイシーケンス（Golay sequences）を含み得る。例えば、符号化アドレスは、ゴレイシーケンス番号を含み得る。加えて、符号化アドレスは、周波数オフセット値を含み得る。周波数オフセットは、他の送信との干渉を低減または削減するために、データ送信に関して使用される周波数をシフトするために使用され得る。
【００６３】
[0081]  図１１は、本開示の特定の態様に従った、例となる圧縮されたセクタスイープフレームフォーマット１１００（オプション１と本明細書では呼ばれる）を例示する。この例となる圧縮されたセクタスイープフレームは、フレーム制御フィールド１１０２、持続時間フィールド１１０４、圧縮された受信機アドレス（ＲＡ）および送信機アドレス（ＴＡ）フィールド１１０６、圧縮されたセクタスイープ（ＳＳＷ）フィールド１１０８、および圧縮されたフレーム制御シーケンス（ＦＣＳ）フィールド１１１２を含む。圧縮されたセクタスイープフレームフォーマットのこの例は、フレーム長の２０バイトの減少（およびセクタスイープ時間における対応する減少）をもたらし得る。ハッシュ関数を使用することによって時間低減の一部が得られ、例えば、６バイトの受信機アドレス（ＲＡ）および６バイトの送信機アドレス（ＴＡ）１１０６、または合計９６ビットのアドレスは、ハーフバイトに圧縮されるか、または４ビットであり得る。
【００６４】
[0082]  図１１のセクタスイープフレームフォーマットの例は、４バイトのフレームチェックシーケンス（ＦＣＳ）フィールド１１１２が４ビットに短縮され得ることをさらに例示する。一般に、ＦＣＳは、上位層へのペイロードの伝搬中に、データペイロードを保護することを要求され得る。しかしながら、セクタスイープフレーム中のエラーは上位層に伝搬しないため、弱い保護が十分に提供される。
【００６５】
[0083]  いくつかのケースでは、３バイトのセクタスイープフィードバックフィールド１１１０は、いくつかのケースでは、セクタスイープフィードバックフィールド１１１０が応答側スイープにおいてのみ必要とされるため、削除され得る。いくつかのケースでは、セクタスイープフレームは、セクタＩＤ値およびセクタスイープカウントダウン値の両方を示すセクタスイープフィールドを含み得、セクタスイープＩＤは、セクタスイープカウントダウンナンバと等しくなり得る。このようなケースでは、より多くのアンテナ／ＲＸＳＳ長／方向についての追加のシグナリングがないときには、必要とされない。セクタスイープＩＤおよびカウントダウン値が通常、セクタスイープ（ＳＳＷ）フィールドにおいて搬送されるとき、例えば、圧縮されたＳＳＷフィールド１１０８を生成するために、３バイトから、１バイトまたは９ビットにＳＳＷフィールドを圧縮することによって（例えば、セクタスイープＩＤおよびセクタスイープカウントダウンの両方について単一のセクタスイープフィールドを使用することによって）、ＳＳＷフレーム長がさらに低減される。いくつかのケースでは、セクタスイープフレームは、アドレスフィールドが圧縮されることを示し得る（例えば、アドレスフィールドを示す値を有するフレームフォーマットタイプは、送信機アドレスおよび受信機アドレスよりも少ないビットを有する；例えば、フレームフォーマットタイプの値に基づいて、圧縮されたアドレスフィールドは、識別子に基づいて識別および処理され得る）。いくつかのケースでは、セクタスイープフレームが破棄され得る（例えば、フレームのアドレスフィールドから決定された受信機または送信機アドレスが受信機または送信機の任意のアドレスと一致しない；例えば、生成されたＦＣＳがフレームに含まれるＦＣＳと一致しない）。
【００６６】
[0084]  図１２は、本開示の特定の態様に従った、圧縮されたセクタスイープフレームフォーマット１２００の別の例（オプション２と本明細書では呼ばれる）を例示する。この例となる圧縮されたセクタスイープフレームは、フレーム制御フィールド１２０２、持続時間フィールド１２０４、圧縮された受信機アドレス（ＲＡ）および送信機アドレス（ＴＡ）フィールド１２０６、圧縮されたセクタスイープ（ＳＳＷ）フィールド１２０８、および圧縮されたフレーム制御シーケンス（ＦＣＳ）フィールド１２１２を含む。セクタスイープフレームフォーマットの例は、１６バイトの長さの低減（およびセクタスイープ時間からの対応する低減）をもたらし得る。この例では、２つの６バイトのＲＡ／ＴＡアドレスは、（図１１に示されるハーフバイトと比較して）シングルバイトに圧縮され得る。この例では、ＦＣＳは、図６で示される従来のフレームと同じものであり得るが、セクタスイープフィードバックは削除され得、ＳＳＷフィールドも圧縮されている（言い換えると、セクタスイープフレームは、セクタスイープフィードバックフィールド１２１０が欠けている）。
【００６７】
[0085]  図１３は、本開示の特定の態様に従った、圧縮されたセクタスイープフレームフォーマット１３００の別の例（オプション３と本明細書では呼ばれる）を例示する。この例となる圧縮されたセクタスイープフレームは、フレーム制御フィールド１３０２、圧縮された受信機アドレス（ＲＡ）および送信機アドレス（ＴＡ）フィールド１３０６、圧縮されたセクタスイープ（ＳＳＷ）フィールド１３０８、および圧縮されたフレーム制御シーケンス（ＦＣＳ）フィールド１３１２を含む。この例では、ＲＡ／ＴＡアドレスは、例えば、１００ビットから２０ビットへのハッシュ関数を使用して、２つの６バイトフィールド（全体で９６ビット）から、単一の２．５バイトフィールド（２０ビット）に圧縮され得る。関連したワイヤレスノードに関して、圧縮されていないＲＡおよびＴＡアドレスは既知であるため、受信側は、圧縮されたＲＡ／ＴＡアドレスフィールド１３０６の値に結果が一致するかどうかを確認するために、既知のアドレスにハッシュ関数を適用し得る。
【００６８】
[0086]  いくつかのケースでは、圧縮されたＲＡおよびＴＡフィールド１３０６はまた、ＳＳＷフレームの物理（ＰＨＹ）ヘッダ巡回冗長検査（ＣＲＣ）またはスクランブラシード（scrambler seed）にも基づき得る。スクランブラシードは、ＳＳＷプロシージャごとまたはＳＳＷフレームごとに異なり得る。この方法におけるスクランブラシードの帰属性は、圧縮されたＴＡ／ＲＡフィールド１３０６を解凍した後に誤って検出されたそれ自体のＲＡを有するワイヤレスノードを確保するのを手助けし得る。当然ながら、圧縮の量を低減すること（例えば、ハッシュ関数の出力のためにより多くのビットを使用すること）は、誤ったＲＡ一致についての機会をさらに低減し得る。
【００６９】
[0087]  例示されるように、ＦＣＳフィールドはまた、例えば、４バイトから１バイトの半分（４ビット）に圧縮され得、それは、誤検知（false positives）に比較的影響を与えないだろう。持続時間フィールド１３０４およびセクタスイープフィードバックフィールド１３１０はまた、（ＳＳＷフレームがこれらのフィールドを欠いているため）削除され得る。いくつかのケースでは、持続時間フィールド１３０４は、（例えば、所与の持続時間を示すために、より少ないビットが必要とされるように１μｓよりも大きい）より低い分解能への量子化か、または、例えば、カウントダウンＩＤを考慮する、（より短い最大持続時間が示され得ることを意味する）より短い長さでの同じ分解能の使用の、いずれかによって圧縮され得る。
【００７０】
[0088]  例示されるように、ＳＳＷフィールドもまた（例えば、３バイトから１．５バイトに）圧縮され得る。このＳＳＷ圧縮は、例えば、１２ビットカウントダウンフィールドを使用することによって、セクタのための１０ビットおよびアンテナのための２ビット（または、いくつかの他の同様のタイプのビット割り振り）を用いて、達成され得る。
【００７１】
[0089]  図１４は、図６（従来技術）に示された従来のセクタスイープフレームフォーマット６００に対する、図１１（オプション１）および図１２（オプション２）に示されるフレームフォーマット（１１００および１２００）を使用して達成され得るセクタスイープ時間の例となる低減を提供する表を例示する。この表は、各フレームにおけるペイロードバイト数１４０２を示す第１の行、スイープ時間１４０４を示す第２の行、およびオプション１またはオプション２（１１００および１２００）と従来のセクタスイープフレームフォーマット６００と間の低減の比を表す節約パーセンテージ１４０６を示す第３の行を含む。従来の列１４０８は、バイト数、スイープ時間、および従来のセクタスイープフレームフォーマット６００に関連付けられた低減の比を示すパーセンテージを示す。従来の列１４０８のパーセンテージは、本明細書に開示された特定の代替のオプションとの比較のためにこの従来の列１４０８の値がベースとして使用されているため、ゼロである。例えば、オプション１の列１４１０は、バイト数、スイープ時間、および従来のセクタスイープフレームフォーマット６００およびオプション１（１１００）のセクタスイープフレームのペイロード間の減少比率を示すパーセンテージを示す。別の例では、オプション２の列１４１２は、バイト数、スイープ時間、および従来のセクタスイープフレームフォーマット６００およびオプション２（１２００）のセクタスイープフレームのペイロード間の減少比率を示すパーセンテージを示す。
【００７２】
[0090]  例示されるように、図１１に例示されるオプション１を利用することによって、最大３７％の低減が達成され、一方、図１２に例示されるオプション２を利用することは、最大１５％の低減をもたらし得る。取得された正確な産出高（exact yield achieved）は、送信時間の低減と検出されてないエラーの増加の可能性との間の相殺を表す。さらに、セクタスイープ時間における低減は、セクタスイープ時間を低減する他の方法に直交（orthogonal）（例えば、無関係）であり得る。
【００７３】
[0091]  セクタスイーププロシージャ中にスイープされる必要のない多くのセクタが存在するので、セクタスイーププロシージャ中の本明細書で説明される圧縮されたフレームフォーマットを使用するセクタスイープ時間における累積的な時間低減は、顕著であり得る。例えば、比較的大きいアンテナアレイを有するデバイスは、トレーニングのために使用されるべき追加のセクタを必要とし、２５６個のセクタを使用する２５６個のアンテナを有するＡＰが、セクタスイープのために４ミリ秒（ｍｓ）を消費し得る。よって、１０個のワイヤレスノードのトレーニングのための集約セクタスイープ時間（aggregate sector sweep time）は、４０ｍｓよりも大きくなり得る。従って、各フレームの送信時間を低減するために本明細書で説明される圧縮されたフレームフォーマットを利用することは、顕著なパフォーマンスの改善をもたらし得る。
【００７４】
[0092]  図１５は、本開示の特定の態様に従った、例示的なワイヤレス通信システム１５００のブロック図を例示する。この例では、ワイヤレス通信システム１５００は、第１のワイヤレスノード１５１０（例えば、アクセスポイント１１０）、第２のワイヤレスノード１５２０（例えば、ユーザ端末１２０ａ）、および第３のワイヤレスノード１５３０（例えば、ユーザ端末１２０ｂ）を含む。
【００７５】
[0093]  ＳＳＷフレームにおいて圧縮された（一般に、符号化された）送信機アドレスおよび／または受信機アドレスの使用のために、アドレス衝突の確率がゼロではない。すなわち、圧縮されたアドレスは、それぞれ、２つのワイヤレスノードによって２つの別個のメディアアクセス制御（ＭＡＣ）アドレスに解凍され（一般に、復号され）得る。例えば、ワイヤレスノードは、ＳＳＷフレームが別のワイヤレスノードを対象としたときに、受信されたＳＳＷフレームを、まるでそれらがワイヤレスノードを対象としているかのように処理し得る。ＭＡＣは、ＤＣＦ（distributed coordination function）およびＰＣＦ（point coordination function）に基づいて搬送波感知多元接続／衝突検出（ＣＳＭＡ／ＣＡ）を含み得る。ＤＣＦは、中央制御なしで媒体のアクセスを可能にする。ＰＣＦは、中央制御を提供するために、アクセスポイント（ＡＰ）に配置される。ＤＣＦおよびＰＣＦは、衝突を避けるために、連続的な送信の間の様々なギャップを利用する。送信は、フレームとも呼ばれ得、フレーム間のギャップは、インターフレームスペーシング（ＩＦＳ）と呼ばれ得る。フレームは、ユーザデータフレーム、制御フレーム、または管理フレームであり得る。これは、下記の例を参照してより詳細に説明される。
【００７６】
[0094]  図１６は、本開示の特定の態様に従った、セクタスイープ（ＳＳＷ）フレームにおけるアドレス衝突を経験する例示的なワイヤレス通信システム１６００のブロック図を例示する。通信システム１６００は、圧縮処理システム１６１２を有する第１のワイヤレスノード１６１０、解凍処理システム（decompression processing system）１６２２を有する第２のワイヤレスノード１６２０、および解凍処理システム１６３２を有する第３のワイヤレスノード１６３０を含む。
【００７７】
[0095]  第１のワイヤレスノード１６１０の圧縮処理システム１６１２は、送信機アドレス（ＴＡ）（例えば、第１のワイヤレスノード１６１０のＭＡＣアドレス）、および受信機アドレス（ＲＡＡ）（例えば、第２のワイヤレスノード１６２０のＭＡＣアドレス）を受信する。示されるように、この例では、第２のワイヤレスノード１６２０は、第１のワイヤレスノード１６１０によって送信されるべきＳＳＷフレームのターゲット（宛先ノード）である。圧縮処理システム１６１２は、圧縮パラメータ１を受信する。圧縮処理システム１６１２は、ＴＡ、ＲＡＡ、および圧縮パラメータ１に基づいて、圧縮されたＴＡ／ＲＡを生成する。いくつかの例では、圧縮パラメータ１は、ハッシュ関数のための特定のシード、圧縮されたＴＡ／ＲＡとしての特定のアソシエーション識別子（ＡＩＤ）を生成するためのパラメータ、および圧縮されたＴＡ／ＲＡとしての特定の基本サービスセット（ＢＳＳ：Base Service Set）カラー（color）を生成するためのパラメータのうちのいずれか１つを含み得る。ＡＩＤおよび／またはＢＳＳカラーは、１つまたは複数のフレームへの宛先として１つまたは複数のワイヤレスノードを識別するための任意の符号化アドレスであり得る。第１のワイヤレスノード１６１０は、圧縮されたＴＡ／ＲＡを含むＳＳＷフレームを送信する。いくつかの実施形態では、符号化アドレスは、乱数生成器アルゴリズムによって生成される乱数を含み得る。この例では、乱数は、１つまたは複数の宛先ノードを識別するアドレスを暗号化する。別の実施形態では、第１のワイヤレスノードまたは第２のワイヤレスノードに関連付けられたユニーク識別子に基づいて、符号化アドレスが定義され得る。ノードは、別のノードと通信するために使用されるべき１つまたは複数のパラメータ（例えば、第１のパラメータ）をルックアップテーブルが決定するためのインデックスとしてユニーク識別子を使用し得る。例えば、アドレスのビット数は、ユニーク識別子を構成し得る。別の例では、ユニーク識別子は、アドレスフィールドの１つまたは複数のビットであり得る。
【００７８】
[0096]  この例では、第２のワイヤレスノード１６２０と第３のワイヤレスノード１６３０との両方が、ＳＳＷフレームを受信する。第２のワイヤレスノード１６２０の解凍処理システム１６２２は、受信されたＳＳＷフレームから圧縮されたＴＡ／ＲＡを受信する。解凍処理システム１６２２はさらに、圧縮パラメータ１を受信する。圧縮パラメータ１は、第１のワイヤレスノード１６１０の圧縮処理システム１６１２によって使用される圧縮パラメータ１と同じであり得る。例えば、圧縮パラメータ１は、ハッシュ関数のためのシード、圧縮されていないＴＡ／ＲＡにＡＩＤを変換する（translating）ためのパラメータ、および圧縮されていないＴＡ／ＲＡにＢＳＳカラーを変換するためのパラメータであり得る。この例では、解凍処理システム１６２２は、第１のワイヤレスノード１６１０の正確なＴＡと、第２のワイヤレスノード１６２０の正確なＲＡＡとを生成する。例えば、ＲＡＡは、圧縮されたＴＡ／ＲＡが指し示す受信機アドレスのセットの一部であり得る。第２のワイヤレスノード１６２０は、圧縮されたＴＡ／ＲＡが指し示すセット中に受信機アドレスＲＡＡがあるため、それがＳＳＷフレームのターゲットであることを知っている。
【００７９】
[0097]  第３のワイヤレスノード１６３０の解凍処理システム１６３２はまた、受信されたＳＳＷフレームから圧縮されたＴＡ／ＲＡを受信する。解凍処理システム１６３２はさらに、圧縮パラメータ１を受信する。同様に、圧縮パラメータ１は、第１のワイヤレスノード１６１０の圧縮処理システム１６１２によって使用される圧縮パラメータ１と同じであり得る。例えば、圧縮パラメータ１は、ハッシュ関数のためのシード、圧縮されていないＴＡ／ＲＡにＡＩＤを変換するためのパラメータ、および圧縮されていないＴＡ／ＲＡにＢＳＳカラーを変換するためのパラメータであり得る。この例では、解凍処理システム１６３２は、第１のワイヤレスノード１６１０のＴＡと、第３のワイヤレスノード１６３０のＲＡＢとを生成する。例えば、ＲＡＢはまた、圧縮されたＴＡ／ＲＡが指し示す受信機アドレスのセットの一部でもあり得る。このケースでは、第２のワイヤレスノード１６２０は、圧縮されたＴＡ／ＲＡが指し示すセット内に受信機アドレスＲＡＢがあるため、誤って、それがＳＳＷフレームのターゲットであると信じている（believes）。
【００８０】
[0098]  上記の例では、第３のワイヤレスノード１６３０は、ＳＳＷフレームを、実際はそれらが第２のワイヤレスノード１６２０を対象とするときに、まるでそれらが第３のワイヤレスノード１６３０に向けられたかのように処理する。これは、圧縮処理システム１６１２が、ＲＡのセットのための圧縮パラメータ１を使用する、同一の圧縮されたＴＡ／ＲＡを生成するからである。この例では、第２のワイヤレスノード１６２０のＲＡＡおよび第３のワイヤレスノード１６３０のＲＡＢは、両方とも、圧縮パラメータ１に基づく同一の圧縮されたＴＡ／ＲＡを生成するＲＡのセット中にある。これは、アドレス衝突と呼ばれ、２つ以上のワイヤレスノードにおいて、それらのうちの一方のみがターゲットまたは宛先ワイヤレスノードであるとき、圧縮されたアドレスは、ＳＳＷフレームを受信するための同じ宛先ノードまたはターゲットデバイスであると識別する。
【００８１】
[0099]  図１７は、本開示の特定の態様に従った、アドレス衝突を低減する方法に起因したセクタスイープ（ＳＳＷ）フレームにおいてアドレス衝突が発生しない、例示的なワイヤレス通信システム１７００のブロック図を例示する。同様に、ワイヤレス通信システム１７００は、圧縮処理システム１７１２を有する第１のワイヤレスノード１７１０、解凍処理システム１７２２を有する第２のワイヤレスノード１７２０、および解凍処理システム１７３２を有する第３のワイヤレスノード１７３０を含む。
【００８２】
[00100]  この例は、第３のワイヤレスノード１６３０が、ワイヤレス通信システム１６００を参照して先に論じられたような圧縮パラメータ１を使用する場合に、第１のワイヤレスノード１７１０は、潜在的なアドレス衝突が存在すると決定する。よって、潜在的なアドレス衝突に応答して、第１のワイヤレスノード１７１０は、第３のワイヤレスノード１６３０にフレームを送信し、ここにおいて、フレームは、ＳＳＷフレーム中の圧縮されたＴＡ／ＲＡを解凍する（一般に、復号する）ための圧縮パラメータ１を使用しないことを示す命令を含む。従って、ワイヤレス通信システム１７００に例示されるように、第３のワイヤレスノード１６３０は、禁止された解凍パラメータ１の代わりに、圧縮パラメータ２を使用する。
【００８３】
[00101]  このシナリオを要約すると、第１のワイヤレスノード１７１０の圧縮処理システム１７１２は、送信機アドレス（ＴＡ）（例えば、第１のワイヤレスノード１７１０のＭＡＣアドレス）、および受信機アドレス（ＲＡＡ）（例えば、第２のワイヤレスノード１７２０のＭＡＣアドレス）を受信する。同様に、この例では、第２のワイヤレスノード１７２０は、第１のワイヤレスノード１７１０によって送信されるべきＳＳＷフレームのターゲットである。圧縮処理システム１７１２は、圧縮パラメータ１を受信する。圧縮処理システム１７１２は、ＴＡ、ＲＡＡ、および圧縮パラメータ１に基づいて、圧縮されたＴＡ／ＲＡを生成する。例として、圧縮パラメータ１は、ハッシュ関数のための特定のシード、圧縮されたＴＡ／ＲＡとしての特定のアソシエーション識別子（ＡＩＤ）を生成するためのパラメータ、および圧縮されたＴＡ／ＲＡとしての特定の基本サービスセット（ＢＳＳ）カラーを生成するためのパラメータのうちのいずれか１つを含み得る。第１のワイヤレスノード１７１０は、圧縮されたＴＡ／ＲＡを含むＳＳＷフレームを送信する。
【００８４】
[00102]  この例では、第２のワイヤレスノード１７２０と第３のワイヤレスノード１７３０との両方が、ＳＳＷフレームを受信する。第２のワイヤレスノード１７２０の解凍処理システム１７２２は、受信されたＳＳＷフレームからの圧縮されたＴＡ／ＲＡを受信する。解凍処理システム１７２２はさらに、圧縮パラメータ１を受信する。圧縮パラメータ１は、第１のワイヤレスノード１７１０の圧縮処理システム１７１２によって使用される圧縮パラメータ１と同じであり得る。例えば、圧縮パラメータ１は、ハッシュ関数のためのシード、圧縮されていないＴＡ／ＲＡにＡＩＤを変換するためのパラメータ、および圧縮されていないＴＡ／ＲＡにＢＳＳカラーを変換するためのパラメータであり得る。この例では、解凍処理システム１７２２は、第１のワイヤレスノード１７１０の正確なＴＡと、第２のワイヤレスノード１７２０の正確なＲＡＡとを生成する。例えば、ＲＡＡは、圧縮されたＴＡ／ＲＡが指し示す受信機アドレスのセットの一部であり得る。第２のワイヤレスノード１７２０は、圧縮されたＴＡ／ＲＡが指し示すセット中に受信機アドレスＲＡＡがあるため、それがＳＳＷフレームのターゲットであることを知っている。
【００８５】
[00103]  同様に、第３のワイヤレスノード１７３０の解凍処理システム１７３２は、受信されたＳＳＷフレームからの圧縮されたＴＡ／ＲＡを受信する。このケースでは、潜在的なアドレス衝突が以前に検出されたため、解凍処理システム１７３２は、異なる圧縮パラメータ２を受信する。圧縮パラメータ２は、第１のワイヤレスノード１７１０の圧縮処理システム１７１２によって使用される圧縮パラメータ１とは異なり得る。例えば、圧縮パラメータ２はまた、ハッシュ関数のためのシード、圧縮されていないＴＡ／ＲＡにＡＩＤを変換するためのパラメータ、および圧縮されていないＴＡ／ＲＡにＢＳＳカラーを変換するためのパラメータであり得る。この例では、解凍処理システム１７３２は、第３のワイヤレスノード１７３０の受信機アドレスＲＡＢではない少なくとも１つの受信機アドレスを生成する。例えば、受信機アドレスＲＡＢは、圧縮パラメータ２に基づいて、圧縮されたＴＡ／ＲＡが指し示す受信機アドレスのセットの一部ではない。従って、第３のワイヤレスノード１７３０は、それがＳＳＷフレームのターゲットではないことを知っており、ＳＳＷフレームを処理しないかまたは無視し、それにより、アドレス衝突を避け、ＳＷフレームを処理する必要がない場合の電力消費を避ける。
【００８６】
[00104]  第３のワイヤレスノード１７３０による異なるパラメータの使用は、第１のワイヤレスノード１７１０からのＳＳＷフレームのための第２のワイヤレスノード１７２０との、または別のワイヤレスノードから受信された、アドレス衝突を解消する。
【００８７】
[00105]  図１８は、本開示の特定の態様に従った、セクタスイープ（ＳＳＷ）フレームにおける潜在的なアドレス衝突を低減する例示的な方法１８００を例示する。方法１８００は、ＡＰまたはアクセス端末（ＡＴ）などのワイヤレスノードの任意のタイプによって実施され得る。説明のために、ワイヤレス通信システム１７００における第１のワイヤレスノード１７１０は、アドレス衝突を避けるために、方法１８００を実施するように例示される。
【００８８】
[00106]  方法１８００は、少なくとも第１のパラメータ（例えば、圧縮パラメータ）を使用して生成された符号化アドレス（例えば、圧縮されたアドレス）が、第１のワイヤレスノードと第２のワイヤレスノードとを、少なくとも１つの第１のフレームのための同じ宛先アドレスであると識別するか否かを決定すること（ブロック１８０２）を含む。すなわち、アドレス衝突を検出している。このような検出は、第１および第２のワイヤレスノードの第１および第２の圧縮されていない（例えば、ＭＡＣ）アドレスと、第１の圧縮パラメータとに基づき得る。例えば、第１のワイヤレスノードのための第１の圧縮されたアドレスは、第１の圧縮パラメータと第１のワイヤレスノードのＭＡＣアドレスとに基づいて決定される。次いで、第２のワイヤレスノードのための第２の圧縮されたアドレスは、第１の圧縮パラメータと第２のワイヤレスノードのＭＡＣアドレスとに基づいて決定される。次いで、第２の圧縮されたアドレスが、第１の圧縮されたアドレスと同じであると決定される。
【００８９】
[00107]  例として、第１のワイヤレスノード１７１０と第２のワイヤレスノード１７２０との間のアソシエーションフレーム交換中に、第１のワイヤレスノード１７１０は、第２のワイヤレスノード１６２０のＭＡＣアドレスを受信する。アソシエーションフレーム交換中または第１のワイヤレスノード１７１０と第２のワイヤレスノード１７２０との間の他の通信中、第１のワイヤレスノード１７１０および第２のワイヤレスノード１７２０は、ＳＳＷフレーム中の少なくとも１つのアドレスを圧縮および解凍するために第１の圧縮パラメータ（例えば、圧縮パラメータ１）を使用することを決定する。
【００９０】
[00108]  第１のワイヤレスノード１７１０と第３のワイヤレスノード１７３０との間の後続のアソシエーションフレーム交換中、第１のワイヤレスノード１７１０は、第３のワイヤレスノード１７３０のＭＡＣアドレスを受信する。このケースでは、第１のワイヤレスノード１７１０は、第３のワイヤレスノード１７３０のＭＡＣアドレスと第１の圧縮パラメータ（例えば、圧縮パラメータ１）とを使用することが、第２のワイヤレスノード１７２０をターゲットとする同じ圧縮されたアドレスをもたらし得ること、すなわち、圧縮されたアドレスが、第２のワイヤレスノード１７２０と第３のワイヤレスノード１７３０との両方をターゲットとすることを決定する。
【００９１】
[00109]  従って、方法１８００はさらに、符号化アドレスが第１のワイヤレスノードと第２のワイヤレスノードとを同じ宛先であると識別した場合、第１のパラメータを使用しないインジケーションを含む少なくとも１つの第２のフレームを生成すること（ブロック１８０４）を備える。例えば、少なくとも１つの第２のフレームは、第１の圧縮パラメータを使用しない（例えば、第１の圧縮パラメータを禁止する）命令を含み得る。代替的に、少なくとも１つの第２のフレームは、第２の圧縮パラメータなどの第１の圧縮パラメータとは異なる別の圧縮パラメータを使用する命令を含み得る。
【００９２】
[00110]  方法１８００はさらに、第１のワイヤレスノードまたは第２のワイヤレスノードのうちの少なくとも１つへの送信のために、少なくとも１つの第２のフレームを出力すること（ブロック１８０６）を含む。例えば、ワイヤレス通信システム１７００のケースでは、第１のワイヤレスノード１７１０は、第３のワイヤレスノード１７３０にフレームを送信した。フレームを受信することに応答して、第３のワイヤレスノード１７３０は、ＳＳＷフレームを解凍するために、圧縮パラメータ２を使用する。結果として、第１のワイヤレスノード１７１０または別のワイヤレスノードが、第２のワイヤレスノード１７２０を対象とした（圧縮パラメータ１に基づいて決定された圧縮されたアドレスを含む）ＳＳＷフレームを送信したとき、第３のワイヤレスノード１７３０は、第２の圧縮パラメータ２を使用して生成された解凍されたアドレスが第３のワイヤレスノード１７３０のＭＡＣアドレスを識別しないため、それがＳＳＷフレームのターゲットワイヤレスデバイスではないと決定する。例えば、第３のワイヤレスノード１７３０のＭＡＣアドレスは、圧縮されたアドレスが指し示すアドレスのリスト上にない。
【００９３】
[00111]  代替的に、第３のワイヤレスノード１７３０に少なくとも１つの第２のフレームを送る代わりに、第１のワイヤレスノード１７１０は、第２のワイヤレスノード１７２０に少なくとも１つの第２のフレームを送り得る。このケースでは、第２のワイヤレスノード１７２０は、第１のワイヤレスノード１７１０からのＳＳＷフレームを解凍するための圧縮パラメータ２などの、異なる圧縮パラメータを使用し得る。第１のワイヤレスノード１７１０は、第１の圧縮パラメータ１を使用するよう第３のワイヤレスノード１７３０に命令するフレームを送り得る。よって、アドレス衝突を避けるために、この例では、第２のワイヤレスノード１７２０は、第１のワイヤレスノード１７１０または別のワイヤレスノードから受信されたＳＳＷフレームにおいて、圧縮されたアドレスを解凍するために第２の圧縮パラメータ２を使用し、第３のワイヤレスノード１７３０は、第１のワイヤレスノード１７１０または別のワイヤレスノードから受信したＳＳＷフレームにおいて、圧縮されたアドレスを解凍するために第１の圧縮パラメータ１を使用する。
【００９４】
[00112]  代替的に、第１のワイヤレスノード１７１０は、第２のワイヤレスノード１７２０と第３のワイヤレスノード１７３０との両方に、第１の圧縮パラメータ１などの、ＳＳＷフレームを解凍するための特定の圧縮パラメータを使用しないよう命令する少なくとも１つの第２のフレームを送信し得る。例えば、第２のワイヤレスノード１７２０に送信された少なくとも１つの第２のフレームは、圧縮パラメータ２などの特定の圧縮パラメータを使用するための命令を含み得る。第３のワイヤレスノード１７３０に送信された少なくとも１つの第２のフレームは、圧縮パラメータ３などの別の特定のパラメータを使用するための命令を含み得る。よって、この例では、アドレス衝突は、受信されたＳＳＷフレームにおいて、圧縮されたアドレスを解凍するための圧縮パラメータ２を使用する第２のワイヤレスノードによって、および受信されたＳＳＷフレームにおいて、圧縮されたアドレスを解凍するための圧縮パラメータ３を使用する第３のワイヤレスノード１７３０によって、回避される。
【００９５】
[00113]  図１９は、図１８の例示的な方法に対応するワイヤレス通信のための装置１９００を例示する。ワイヤレス通信のための装置１９００は、少なくとも第１のパラメータを使用して生成された符号化アドレスが、第１のワイヤレスノードと第２のワイヤレスノードとを、少なくとも１つの第１のフレームのための同じ宛先であると識別するか否かを決定するための手段１９０２を含む。決定するための手段は、処理システム３２４に対応し得る。例えば、決定するための手段は、符号化アドレスが別のノードと同じ宛先を有するノードの識別子であるか否かを示す、フレームの少なくとも１つのフィールドにおいてデータを識別し得る。
【００９６】
[00114]  ワイヤレス通信のための装置１９００は、符号化アドレスが第１のワイヤレスノードと第２のワイヤレスノードとを同じ宛先であると識別した場合、第１のパラメータを使用しないインジケーションを含む少なくとも１つの第２のフレームを生成するための手段１９０４を含み得る。生成するための手段１９０４は、処理システム３２４に対応し得る。例えば、生成するための手段１９０４は、宛先アドレスに関する前のフレームにおいて提供された情報に基づいてフレームを生成するように構成され得る。
【００９７】
[00115]  ワイヤレス通信のための装置１９００は、第１のワイヤレスノードおよび／または第２のワイヤレスノードへの送信のために、少なくとも１つの第２のフレームを出力するための手段１９０６を含み得る。出力するための手段は、トランシーバ回路／インターフェース３１４を含み得る。例えば、ワイヤレス通信のための装置１９００は、ＲＦ周波数を介してフレームを送信し得、ここにおいて、フレームは、第１のフレームにおいて提供されたインジケーションに基づいて生成されるデータを含む。
【００９８】
[00116]  上述された方法の様々な動作は、対応する機能を実行することができる任意の適切な手段によって行われ得る。手段は、回路、特定用途向け集積回路（ＡＳＩＣ）、またはプロセッサを含むがそれらに限定されるわけではない、様々なハードウェアおよび／またはソフトウェアコンポーネントおよび／または）モジュールを含み得る。一般に、図面に例示される動作がある場合、それらの動作は、同様の番号をもつ対応するカウンターパートのミーンズプラスファンクション構成要素を有し得る。例えば、図７、図９、および図１８に例示された動作７００、９００、および１８００は、図８、１０、および１９に例示された手段８００、１０００、および１９００に対応する。
【００９９】
[00117]  例えば、受信するための手段は、受信機（例えば、受信機ユニット２２２）、および／またはアクセスポイント１１０のアンテナ２２４を含み得る。受信するための手段はまた、図２で例示されたユーザ端末１２０の受信機（例えば、受信機ユニット２５４）および／またはアンテナ２５２も含み得る。代替的に、受信するための手段は、図３に描かれたトランシーバ回路３１４、受信機回路３１２、および／またはアンテナ３１６を含み得る。出力するための手段は、図２に例示された、アクセスポイント１１０の送信機（例えば、送信機ユニット２２２）および／またはアンテナ２２４、並びに／あるいは、ユーザ端末１２０の送信機（例えば、送信機ユニット２５４）および／またはアンテナ２５２を含み得る。代替的に、送信するための手段は、図３に描かれたトランシーバ回路３１４、送信機回路３１０、および／またはアンテナ３１６を含み得る。処理するための手段、決定するための手段、生成するための手段、または計算するための手段は、処理システムを含み、それは、図２に例示されたアクセスポイント１１０のＲＸデータプロセッサ２４２、ＴＸデータプロセッサ２１０、および／またはコントローラ２３０、あるいは、図３に描かれた処理システム３２４、処理回路３０４、および／またはＤＳＰ３２０などの、１つまたは複数のプロセッサの処理システムを含み得る。
【０１００】
[00118]  決定するための手段は、符号化アドレスが、第１のワイヤレスノードと第２のワイヤレスノードとを、少なくとも１つのフレーム（例えば、第１のフレーム）のための同じ宛先であると識別するか否かを確立するために、１つまたは複数のパラメータ（例えば、第１のパラメータ）を使用して生成された符号化アドレスを計算または分析し得る。生成するための手段は、符号化アドレスが第１のワイヤレスノードと第２のワイヤレスノードとを同じ宛先であると識別した場合、第１のパラメータを使用しないインジケーションを含むフレーム（例えば、第２のフレーム）を生成し得る。例えば、インジケーションは、フレームのフィールド中のビット、フレームの配列であるか、またはフレームが出力された時間に関連付けられ得る。出力するための手段は、第１のワイヤレスノードまたは第２のワイヤレスノードのうちの少なくとも１つへの送信のために、少なくとも１つの第２のフレームを通信するように構成されたデータのワイヤレスまたはワイヤード通信のためのインターフェースを含み得る。
【０１０１】
[00119]  いくつかのケースでは、フレームを実際に送信するのではなく、デバイスは、送信のためのフレームを出力するためのインターフェースを有し得る。例えば、プロセッサは、送信のためにＲＦフロントエンドに、バスインターフェースを介してフレームを出力し得る。同様に、フレームを実際に受信するよりもむしろ、デバイスは、別のデバイスから受信したフレームを取得するためのインターフェースを有し得る。例えば、プロセッサは、受信用のＲＦフロントエンドから、バスインターフェースを介して、フレームを取得（または受信）し得る。
【０１０２】
[00120]  特定の態様よると、このような手段は、（例えば、ハードウェア命令において、またはソフトウェア命令を実行することによって）セクタスイーププロシージャ中に送信のためのフレームを生成するために、上述される様々なアルゴリズムを実装することによって、対応する機能を行うように構成される処理システムで実装され得る。
【０１０３】
[00121]  本明細書で使用される場合、「生成すること」という用語は、幅広いアクションを含む。例えば、「生成すること」は、計算すること、引き起こすこと、算出すること、作成すること、決定すること、処理すること、導出すること、調査すること、行うこと、生成すること、提供すること、発生させること、導くこと、結果としてもたらすこと、ルックアップすること（例えば、テーブル、データベース、または別のデータ構造をルックアップすること）、確認することなどを含み得る。また、「生成すること」は、受信すること（例えば、情報を受信すること）、アクセスすること（例えば、メモリ内のデータにアクセスすること）などを含み得る。また、「生成すること」は、解決すること、選択すること、選ぶこと、確立することなどを含み得る。
【０１０４】
[00122]  本明細書で使用される場合、「決定すること」という用語は、幅広いアクションを含む。例えば、「決定すること」は、算出すること、計算すること、処理すること、導出すること、調査すること、ルックアップすること（例えば、表、データベース、または別のデータ構造においてルックアップすること）、確認することなどを含み得る。また、「決定すること」は、受信すること（例えば、情報を受信すること）、アクセスすること（例えば、メモリ内のデータにアクセスすること）などを含み得る。また、「決定すること」は、解決すること、選択すること、選ぶこと、確立することなどを含み得る。また、「決定すること」は、測定すること、推定することなどを含み得る。
【０１０５】
[00123]  本明細書で使用されるとき、項目のリスト「のうちの少なくとも１つ」を示すフレーズは、単一の要素を含む、それらの項目の任意の組み合わせを指す。例として、「ａ、ｂ、またはｃのうちの少なくとも１つ」は、同じメンバの複数を含むあらゆるそのようなリスト（例えば、ａａ、ｂｂ、またはｃｃを含むあらゆるリスト）と同じく、ａ、ｂ、ｃ、ａ−ｂ、ａ−ｃ、ｂ−ｃ、およびａ−ｂ−ｃをカバーすることを意図する。
【０１０６】
[00124]  本開示に関連して説明される様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明された機能を行うように設計されたそれらの任意の組み合わせを用いて実施または行われ得る。汎用プロセッサはマイクロプロセッサであり得るが、代替として、プロセッサは、任意の従来の利用可能なプロセッサ、コントローラ、マイクロコントローラ、またはステートマシンであり得る。プロセッサはまた、コンピューティングデバイスの組み合わせ、例えば、ＤＳＰとマイクロプロセッサとの組み合わせ、複数のマイクロプロセッサ、ＤＳＰコアと連携する１つまたは複数のマイクロプロセッサ、あるいは任意の他のそのような構成としても実装され得る。
【０１０７】
[00125]  本開示に関連して説明される方法またはアルゴリズムのステップは、直接ハードウェアで具現化されるか、プロセッサによって実行されるソフトウェアモジュールで具現化されるか、またはその２つの組み合わせで具現化され得る。ソフトウェアモジュールは、当該技術分野で知られている任意の形態の記憶媒体内に存在し得る。使用され得る記憶媒体のいくつかの例は、ランダムアクセスメモリ（ＲＡＭ）、読み取り専用メモリ（ＲＯＭ）、フラッシュメモリ、消去可能なプログラマブル読み取り専用メモリ（ＥＰＲＯＭ）、電気的に消去可能なプログラマブル読み取り専用メモリ（ＥＥＰＲＯＭ（登録商標））、レジスタ、ハードディスク、リムーバブルディスク、ＣＤ−ＲＯＭなどを含む。ソフトウェアモジュールは、単一の命令、または多くの命令を含み得、いくつかの異なるコードセグメントにわたって、異なるプログラム間で、および複数の記憶媒体にわたって、分散され得る。記憶媒体は、プロセッサが記憶媒体から情報を読み取り、記憶媒体に情報を書き込むことができるように、プロセッサに結合され得る。代替として、記憶媒体は、プロセッサに一体化され得る。
【０１０８】
[00126]  本明細書に開示された方法は、説明される方法を達成するための１つまたは複数のステップまたはアクションを含む。方法のステップおよび／またはアクションは、特許請求の範囲から逸脱することなく互いに置き換えられ得る。言い換えると、ステップまたはアクションの特定の順序が指定されない限り、特定のステップおよび／またはアクションの順序および／または使用は、本願の特許請求の範囲から逸脱せずに修正され得る。
【０１０９】
[00127]  説明される機能は、ハードウェア、ソフトウェア、ファームウェア、またはこれらの任意の組み合わせで実装され得る。ハードウェアで実装される場合、例となるハードウェア構成は、ワイヤレスノードにおける処理システムを含み得る。処理システムは、バスアーキテクチャを用いて実装され得る。バスは、処理システムの特定の用途と全体的な設計の制約に依存して、任意の数の相互接続バスおよびブリッジを含み得る。バスは、プロセッサ、機械可読媒体、およびバスインターフェースを含む様々な回路を共にリンクさせ得る。バスインターフェースは、特に、ネットワークアダプタを、バスを介して処理システムに接続するために使用され得る。このネットワークアダプタは、ＰＨＹレイヤの信号処理機能を実装するために使用され得る。ユーザ端末１２０（図１を参照）の場合、ユーザインターフェース（例えば、キーパッド、ディスプレイ、マウス、ジョイスティックなど）もまた、バスに接続され得る。バスはまた、タイミングソース、周辺機器、電圧レギュレータ、電力管理回路などのような様々な他の回路もリンクさせ得、これらは、当該技術分野において周知であり、従ってこれ以上説明されない。
【０１１０】
[00128]  プロセッサは、バスの管理と、機械可読媒体上に記憶されたソフトウェアの実行を含む汎用処理とを担い得る。プロセッサは、１つまたは複数の汎用および／または特殊用途プロセッサで実装され得る。例は、ソフトウェアを実行することができるマイクロプロセッサ、マイクロコントローラ、ＤＳＰプロセッサ、および他の回路を含む。ソフトウェアは、ソフトウェア、ファームウェア、ミドルウェア、マイクロコード、ハードウェア記述言語と呼ばれる場合も、その他の名称で呼ばれる場合も、命令、データ、またはそれらの任意の組み合わせを意味するものとして広く解釈されるべきである。機械可読媒体は、例として、ＲＡＭ（ランダムアクセスメモリ）、フラッシュメモリ、ＲＯＭ（読み取り専用メモリ）、ＰＲＯＭ（プログラマブル読み取り専用メモリ）、ＥＰＲＯＭ（消去可能なプログラマブル読み取り専用メモリ）、ＥＥＰＲＯＭ（電気的に消去可能なプログラマブル読み取り専用メモリ）、レジスタ、磁気ディスク、光ディスク、ハードドライブ、または任意の他の適切な記憶媒体、またはこれらの任意の組み合わせを含み得る。機械可読媒体は、コンピュータプログラム製品で具現化され得る。コンピュータプログラム製品は、パッケージング材料を含み得る。
【０１１１】
[00129]  ハードウェア実装では、機械可読媒体は、プロセッサとは別個の処理システムの一部であり得る。しかしながら、当業者が容易に理解するように、機械可読媒体、またはその任意の部分は、処理システムの外部にあり得る。例として、機械可読媒体は、送信回線、データによって変調された搬送波、および／またはワイヤレスノードとは別個のコンピュータプロダクトを含み得、これら全ては、バスインターフェースを通じてプロセッサによってアクセスされ得る。代替的にまたは加えて、機械可読媒体、またはそのうちの任意の部分は、キャッシュおよび／または汎用レジスタファイルが用いられ得るようなケースに、プロセッサに組み込まれ得る。
【０１１２】
[00130]  処理システムは、プロセッサ機能を提供する１つまたは複数のマイクロプロセッサと、機械可読媒体の少なくとも一部を提供する外部メモリとを有し、全てが外部バスアーキテクチャを通じて他のサポート回路と共にリンクされている、汎用処理システムとして構成され得る。代替的に、処理システムは、プロセッサ、バスインターフェース、アクセス端末のケースではユーザインターフェース、サポート回路、および単一チップに組み込まれた機械可読媒体の少なくとも一部を有するＡＳＩＣ（特定用途向け集積回路）で、または、１つまたは複数のＦＰＧＡ（フィールドプログラマブルゲートアレイ）、ＰＬＤ（プログラムマブル論理デバイス）、コントローラ、ステートマシン、ゲート論理、個別ハードウェアコンポーネント、または任意の他の適切な回路、または本開示の全体にわたって説明された様々な機能を行うことができる回路の任意の組み合わせで、実施され得る。当業者は、システム全体に課された特定の用途および全体的な設計の制約に依存して、処理システムについて説明された機能をどのように実装することが最善かを認識するだろう。
【０１１３】
[00131]  機械可読媒体は、多数のソフトウェアモジュールを備え得る。これらソフトウェアモジュールは、プロセッサによって実行されると、処理システムに様々な機能を行わせる命令を含む。ソフトウェアモジュールは、送信モジュールと受信モジュールとを含み得る。各ソフトウェアモジュールは、単一の記憶デバイスに存在するか、または複数の記憶デバイスにわたって分散し得る。例として、ソフトウェアモジュールは、トリガイベントが生じたとき、ハードドライブからＲＡＭにロードされ得る。ソフトウェアモジュールの実行中、プロセッサは、アクセススピードを上げるために、命令のうちのいくつかをキャッシュにロードし得る。１つまたは複数のキャッシュラインは次いで、プロセッサによる実行のために、汎用レジスタファイルにロードされ得る。以下でソフトウェアモジュールの機能に言及するとき、そのような機能は、ソフトウェアモジュールからの命令を実行するとき、プロセッサによって実施されることが理解されるだろう。
【０１１４】
[00132]  ソフトウェアで実装される場合、これら機能は、コンピュータ可読媒体上で、１つまたは複数の命令またはコードとして記憶または送信され得る。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、コンピュータによってアクセスされ得る任意の利用可能な媒体であり得る。限定はされないが、例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気ストレージデバイス、あるいは命令またはデータ構造の形態の所望のプログラムコードを搬送または記憶するために使用され得、かつコンピュータによってアクセスされ得る、任意の他の媒体を含み得る。また、いかなる接続もコンピュータ可読媒体と適切に呼ばれる。例えば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク（登録商標）、およびブルーレイ（登録商標）ディスクを含み、ディスク（disk）は、通常、データを磁気的に再生し、ディスク（disc）は、データをレーザで光学的に再生する。よって、いくつかの態様では、コンピュータ可読媒体は、非一時的なコンピュータ可読媒体（例えば、有体媒体）を含み得る。加えて、他の態様に関して、コンピュータ可読媒体は、一時的なコンピュータ読み取り可能な媒体（例えば、信号）を含み得る。上記の組み合わせもまた、コンピュータ可読媒体の範囲内に含めるべきである。
【０１１５】
[00133]  よって、特定の態様は、本明細書に提示された動作を行うためのコンピュータプログラム製品を含み得る。例えば、このようなコンピュータプログラム製品は、命令を記憶した（および／またはエンコードされた）コンピュータ可読媒体を含み得、その命令は、本明細書で説明された動作を行うために１つまたは複数のプロセッサによって実行可能である。特定の態様に関して、コンピュータプログラム製品は、パッケージ材料を含み得る。
【０１１６】
[00134]  さらに、本明細書で説明される方法および技法を行うためのモジュールおよび／または他の適切な手段が、ダウンロードされることができること、および／または、そうでなければ、ユーザ端末および／または基地局によって、適用可能に取得されることが理解されるべきである。例えば、このようなデバイスは、本明細書で説明される方法を実行するための手段の転送を容易にするためにサーバに結合され得る。代替として、本明細書で説明される様々な方法は、ユーザ端末および／または基地局が、デバイスに記憶手段を結合または提供する際に様々な方法を取得し得るように、記憶手段（例えば、ＲＡＭ、ＲＯＭ、コンパクトディスク（ＣＤ）またはフロッピーディスクなどの物理記憶媒体など）を介して提供され得る。さらに、本明細書で説明される方法および技法をデバイスに提供するために、任意の他の適切な技法が利用され得る。
【０１１７】
[00135]  特許請求の範囲は、上記に例示されたとおりの構成および構成要素に限定されないことが理解されるべきである。本願の特許請求の範囲から逸脱することなく、様々な変更、交換、および変形が、上述された方法および装置の配列、動作、および細部に対して行われ得る。
【図１】
2019526981.tif 000003
【図２】
2019526981.tif 000004
【図３】
2019526981.tif 000005
【図４】
2019526981.tif 000006
【図５】
2019526981.tif 000007
【図６】
2019526981.tif 000008
【図７】
2019526981.tif 000009
【図８】
2019526981.tif 000010
【図９】
2019526981.tif 000011
【図１０】
2019526981.tif 000012
【図１１】
2019526981.tif 000013
【図１２】
2019526981.tif 000014
【図１３】
2019526981.tif 000015
【図１４】
2019526981.tif 000016
【図１５】
2019526981.tif 000017
【図１６】
2019526981.tif 000018
【図１７】
2019526981.tif 000019
【図１８】
2019526981.tif 000020
【図１９】
2019526981.tif 000021
【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
少なくとも１つの第１のパラメータを使用して生成された符号化アドレスが、第１のワイヤレスノードと第２のワイヤレスノードとを、前記符号化アドレスを含む少なくとも１つの第１のフレームのための同じ宛先であると識別するか否かを決定することと、
前記符号化アドレスが前記第１のワイヤレスノードと前記第２のワイヤレスノードとを前記同じ宛先であると識別した場合、前記少なくとも１つの第１のパラメータを使用しないインジケーションを含む少なくとも１つの第２のフレームを生成することと
を行うように構成された処理システムと、
前記第１のワイヤレスノードまたは前記第２のワイヤレスノードのうちの少なくとも１つへの送信のために、前記少なくとも１つの第２のフレームを出力するように構成されたインターフェースと
を備える、装置。
【請求項２】
前記処理システムは、前記第１のワイヤレスノードのアドレスに基づいて、前記符号化アドレスが前記第１のワイヤレスノードと前記第２のワイヤレスノードとを前記同じ宛先であると識別するか否かを決定するように構成される、請求項１に記載の装置。
【請求項３】
前記第１のワイヤレスノードの前記アドレスは、前記第１のワイヤレスノードのメディアアクセス制御（ＭＡＣ）アドレスを備える、請求項２に記載の装置。
【請求項４】
前記処理システムは、前記第１のワイヤレスノードのアドレスと前記第２のワイヤレスノードのアドレスとに基づいて、前記符号化アドレスが前記第１のワイヤレスノードと前記第２のワイヤレスノードとを前記同じ宛先であると識別するか否かを決定するように構成される、請求項１に記載の装置。
【請求項５】
前記第１のワイヤレスノードの前記アドレスは、前記第１のワイヤレスノードのメディアアクセス制御（ＭＡＣ）アドレスを備え、前記第２のワイヤレスノードの前記アドレスは、前記第２のワイヤレスノードのＭＡＣアドレスを備える、請求項４に記載の装置。
【請求項６】
前記少なくとも１つの第１のパラメータは、前記符号化アドレスを生成するために、ハッシュ関数のためのシードを備える、請求項１に記載の装置。
【請求項７】
前記少なくとも１つの第１のパラメータは、
アソシエーション識別子（ＡＩＤ）、
接続のために使用される乱数、
ゴレイ(Golay)シーケンス番号、または
周波数オフセット値
のうちの少なくとも１つを備える、請求項１に記載の装置。
【請求項８】
前記符号化アドレスは、基本サービスセット（ＢＳＳ）カラーを備える、請求項１に記載の装置。
【請求項９】
前記処理システムは、前記第２のワイヤレスノードとのアソシエーションに従って取得された少なくとも１つのフレームに基づいて、前記符号化アドレスが前記第１のワイヤレスノードと前記第２のワイヤレスノードとを前記同じ宛先であると識別するか否かを決定するように構成される、請求項１に記載の装置。
【請求項１０】
前記インジケーションは、第２のパラメータを使用するための命令を備え、前記第２のパラメータは、前記少なくとも１つの第１のパラメータとは異なる、請求項１に記載の装置。
【請求項１１】
前記処理システムは、少なくとも、
前記少なくとも１つの第１のパラメータと前記第１のワイヤレスノードのアドレスとに基づいて前記符号化アドレスを生成することと、
前記少なくとも１つの第１のパラメータと前記第２のワイヤレスノードのアドレスとに基づいて第２の符号化アドレスを生成することと、
前記第２の符号化アドレスが前記符号化アドレスと同じであるか否かを決定することと
によって、前記符号化アドレスが前記第１のワイヤレスノードと前記第２のワイヤレスノードとを前記同じ宛先であると識別するか否かを決定するように構成される、請求項１に記載の装置。
【請求項１２】
ワイヤレス通信のための方法であって、
少なくとも１つの第１のパラメータを使用して生成された符号化アドレスが、第１のワイヤレスノードと第２のワイヤレスノードとを、前記符号化アドレスを含む少なくとも１つの第１のフレームのための同じ宛先であると識別するか否かを決定することと、
前記符号化アドレスが前記第１のワイヤレスノードと前記第２のワイヤレスノードとを前記同じ宛先であると識別した場合、前記少なくとも１つの第１のパラメータを使用しないインジケーションを含む少なくとも１つの第２のフレームを生成することと、
前記第１のワイヤレスノードまたは前記第２のワイヤレスノードのうちの少なくとも１つへの送信のために、前記少なくとも１つの第２のフレームを出力することと
を備える、方法。
【請求項１３】
前記符号化アドレスが前記第１のワイヤレスノードと前記第２のワイヤレスノードとを前記同じ宛先であると識別するか否かを決定することは、前記第１のワイヤレスノードのアドレスに基づく、請求項１２に記載の方法。
【請求項１４】
前記第１のワイヤレスノードの前記アドレスは、前記第１のワイヤレスノードのメディアアクセス制御（ＭＡＣ）アドレスを備える、請求項１３に記載の方法。
【請求項１５】
前記符号化アドレスが前記第１のワイヤレスノードと前記第２のワイヤレスノードとを前記同じ宛先であると識別するか否かを決定することは、前記第１のワイヤレスノードのアドレスと前記第２のワイヤレスノードのアドレスとに基づく、請求項１２に記載の方法。
【請求項１６】
前記第１のワイヤレスノードの前記アドレスは、前記第１のワイヤレスノードのメディアアクセス制御（ＭＡＣ）アドレスを備え、前記第２のワイヤレスノードの前記アドレスは、前記第２のワイヤレスノードのＭＡＣアドレスを備える、請求項１５に記載の方法。
【請求項１７】
前記符号化アドレスが前記第１のワイヤレスノードと前記第２のワイヤレスノードとを前記同じ宛先であると識別するか否かを決定することは、前記第２のワイヤレスノードとのアソシエーションに従って取得された少なくとも１つのフレームに基づく、請求項１２に記載の方法。
【請求項１８】
前記インジケーションは、第２のパラメータを使用するための命令を備え、前記第２のパラメータは、前記少なくとも１つの第１のパラメータとは異なる、請求項１２に記載の方法。
【請求項１９】
前記符号化アドレスが前記第１のワイヤレスノードと前記第２のワイヤレスノードとを前記同じ宛先であると識別するか否かを決定することは、
前記少なくとも１つの第１のパラメータと前記第１のワイヤレスノードのアドレスとに基づいて前記符号化アドレスを生成することと、
前記少なくとも１つの第１のパラメータと前記第２のワイヤレスノードのアドレスとに基づいて第２の符号化アドレスを生成することと、
前記第２の符号化アドレスが前記符号化アドレスと同じであるか否かを決定することと
を備える、請求項１２に記載の方法。
【請求項２０】
ワイヤレスノードであって、
少なくとも１つの第１のパラメータを使用して生成された符号化アドレスが、第１のワイヤレスノードと第２のワイヤレスノードとを、前記符号化アドレスを含む少なくとも１つの第１のフレームのための同じ宛先であると識別するか否かを決定することと、
前記符号化アドレスが前記第１のワイヤレスノードと前記第２のワイヤレスノードとを前記同じ宛先であると識別した場合、前記少なくとも１つの第１のパラメータを使用しないインジケーションを含む少なくとも１つの第２のフレームを生成することと
を行うように構成された処理システムと、
前記第１のワイヤレスノードまたは前記第２のワイヤレスノードのうちの少なくとも１つに、前記少なくとも１つの第２のフレームを送信するように構成された送信機と
を備える、ワイヤレスノード。
【手続補正２】
【補正対象書類名】明細書
【補正対象項目名】０１１７
【補正方法】変更
【補正の内容】
【０１１７】
[00135]  特許請求の範囲は、上記に例示されたとおりの構成および構成要素に限定されないことが理解されるべきである。本願の特許請求の範囲から逸脱することなく、様々な変更、交換、および変形が、上述された方法および装置の配列、動作、および細部に対して行われ得る。
以下に本願の出願当初の特許請求の範囲に記載された発明を付記する。
［Ｃ１］
ワイヤレス通信のための装置であって、
少なくとも第１のパラメータを使用して生成された符号化アドレスが、第１のワイヤレスノードと第２のワイヤレスノードとを、前記符号化アドレスを含む少なくとも１つの第１のフレームのための同じ宛先であると識別するか否かを決定することと、
前記符号化アドレスが前記第１のワイヤレスノードと前記第２のワイヤレスノードとを前記同じ宛先であると識別した場合、前記第１のパラメータを使用しないインジケーションを含む少なくとも１つの第２のフレームを生成することと
を行うように構成された処理システムと、
前記第１のワイヤレスノードまたは前記第２のワイヤレスノードのうちの少なくとも１つへの送信のために、前記少なくとも１つの第２のフレームを出力するように構成されたインターフェースと
を備える、装置。
［Ｃ２］
前記処理システムは、前記第１のワイヤレスノードのアドレスに基づいて、前記符号化アドレスが前記第１のワイヤレスノードと前記第２のワイヤレスノードとを前記同じ宛先であると識別するか否かを決定するように構成される、Ｃ１に記載の装置。
［Ｃ３］
前記第１のワイヤレスノードの前記アドレスは、前記第１のワイヤレスノードのメディアアクセス制御（ＭＡＣ）アドレスを備える、Ｃ２に記載の装置。
［Ｃ４］
前記処理システムは、前記第１のワイヤレスノードのアドレスと前記第２のワイヤレスノードのアドレスとに基づいて、前記符号化アドレスが前記第１のワイヤレスノードと前記第２のワイヤレスノードとを前記同じ宛先であると識別するか否かを決定するように構成される、Ｃ１に記載の装置。
［Ｃ５］
前記第１のワイヤレスノードの前記アドレスは、前記第１のワイヤレスノードのメディアアクセス制御（ＭＡＣ）アドレスを備え、前記第２のワイヤレスノードの前記アドレスは、前記第２のワイヤレスノードのＭＡＣアドレスを備える、Ｃ４に記載の装置。
［Ｃ６］
前記第１のパラメータは、通信のために使用される前記符号化アドレスまたは乱数を生成するために、ハッシュ関数のためのシードのうちの少なくとも１つを備える、Ｃ１に記載の装置。
［Ｃ７］
前記符号化アドレスは、
アソシエーション識別子（ＡＩＤ）、
ゴレイ(Golay)シーケンス番号、または
周波数オフセット値
のうちの少なくとも１つを備える、Ｃ１に記載の装置。
［Ｃ８］
前記符号化アドレスは、基本サービスセット（ＢＳＳ）カラーを備える、Ｃ１に記載の装置。
［Ｃ９］
前記処理システムは、前記第２のワイヤレスノードとのアソシエーションに従って取得された少なくとも１つのフレームに基づいて、前記符号化アドレスが前記第１のワイヤレスノードと前記第２のワイヤレスノードとを前記同じ宛先であると識別するか否かを決定するように構成される、Ｃ１に記載の装置。
［Ｃ１０］
前記インジケーションは、第２のパラメータを使用するための命令を備え、前記第２のパラメータは、前記第１のパラメータとは異なる、Ｃ１に記載の装置。
［Ｃ１１］
前記処理システムは、少なくとも、
前記第１のパラメータと前記第１のワイヤレスノードのアドレスとに基づいて前記符号化アドレスを生成することと、
前記第１のパラメータと前記第２のワイヤレスノードのアドレスとに基づいて第２の符号化アドレスを生成することと、
前記第２の符号化アドレスが前記符号化アドレスと同じであるか否かを決定することと
によって、前記符号化アドレスが前記第１のワイヤレスノードと前記第２のワイヤレスノードとを前記同じ宛先であると識別するか否かを決定するように構成される、Ｃ１に記載の装置。
［Ｃ１２］
ワイヤレス通信のための方法であって、
少なくとも第１のパラメータを使用して生成された符号化アドレスが、第１のワイヤレスノードと第２のワイヤレスノードとを、前記符号化アドレスを含む少なくとも１つの第１のフレームのための同じ宛先であると識別するか否かを決定することと、
前記符号化アドレスが前記第１のワイヤレスノードと前記第２のワイヤレスノードとを前記同じ宛先であると識別した場合、前記第１のパラメータを使用しないインジケーションを含む少なくとも１つの第２のフレームを生成することと、
前記第１のワイヤレスノードまたは前記第２のワイヤレスノードのうちの少なくとも１つへの送信のために、前記少なくとも１つの第２のフレームを出力することと
を備える、方法。
［Ｃ１３］
前記符号化アドレスが前記第１のワイヤレスノードと前記第２のワイヤレスノードとを前記同じ宛先であると識別するか否かを決定することは、前記第１のワイヤレスノードのアドレスに基づく、Ｃ１２に記載の方法。
［Ｃ１４］
前記第１のワイヤレスノードの前記アドレスは、前記第１のワイヤレスノードのメディアアクセス制御（ＭＡＣ）アドレスを備える、Ｃ１３に記載の方法。
［Ｃ１５］
前記符号化アドレスが前記第１のワイヤレスノードと前記第２のワイヤレスノードとを前記同じ宛先であると識別するか否かを決定することは、前記第１のワイヤレスノードのアドレスと前記第２のワイヤレスノードのアドレスとに基づく、Ｃ１２に記載の方法。
［Ｃ１６］
前記第１のワイヤレスノードの前記アドレスは、前記第１のワイヤレスノードのメディアアクセス制御（ＭＡＣ）アドレスを備え、前記第２のワイヤレスノードの前記アドレスは、前記第２のワイヤレスノードのＭＡＣアドレスを備える、Ｃ１５に記載の方法。
［Ｃ１７］
前記第１のパラメータは、通信のために使用される前記符号化アドレスまたは乱数を生成するために、ハッシュ関数のためのシードのうちの少なくとも１つを備える、Ｃ１２に記載の方法。
［Ｃ１８］
前記符号化アドレスは、
アソシエーション識別子（ＡＩＤ）、
ゴレイシーケンス番号、または
周波数オフセット値
のうちの少なくとも１つを備える、Ｃ１２に記載の方法。
［Ｃ１９］
前記符号化アドレスは、基本サービスセット（ＢＳＳ）カラーを備える、Ｃ１２に記載の方法。
［Ｃ２０］
前記符号化アドレスが前記第１のワイヤレスノードと前記第２のワイヤレスノードとを前記同じ宛先であると識別するか否かを決定することは、前記第２のワイヤレスノードとのアソシエーションに従って取得された少なくとも１つのフレームに基づく、Ｃ１２に記載の方法。
［Ｃ２１］
前記インジケーションは、第２のパラメータを使用するための命令を備え、前記第２のパラメータは、前記第１のパラメータとは異なる、Ｃ１２に記載の方法。
［Ｃ２２］
前記符号化アドレスが前記第１のワイヤレスノードと前記第２のワイヤレスノードとを前記同じ宛先であると識別するか否かを決定することは、
前記第１のパラメータと前記第１のワイヤレスノードのアドレスとに基づいて前記符号化アドレスを生成することと、
前記第１のパラメータと前記第２のワイヤレスノードのアドレスとに基づいて第２の符号化アドレスを生成することと、
前記第２の符号化アドレスが前記符号化アドレスと同じであるか否かを決定することと
を備える、Ｃ１２に記載の方法。
［Ｃ２３］
ワイヤレス通信のための装置であって、
少なくとも第１のパラメータを使用して生成された符号化アドレスが、第１のワイヤレスノードと第２のワイヤレスノードとを、前記符号化アドレスを含む少なくとも１つの第１のフレームのための同じ宛先であると識別するか否かを決定するための手段と、
前記符号化アドレスが前記第１のワイヤレスノードと前記第２のワイヤレスノードとを前記同じ宛先であると識別した場合、前記第１のパラメータを使用しないインジケーションを含む少なくとも１つの第２のフレームを生成するための手段と、
前記第１のワイヤレスノードまたは前記第２のワイヤレスノードのうちの少なくとも１つへの送信のために、前記少なくとも１つの第２のフレームを出力するための手段と
を備える、装置。
［Ｃ２４］
前記符号化アドレスが前記第１のワイヤレスノードと前記第２のワイヤレスノードとを前記同じ宛先であると識別するか否かを決定するための前記手段は、前記第１のワイヤレスノードのアドレスに基づいて、前記符号化アドレスが前記第１のワイヤレスノードと前記第２のワイヤレスノードとを前記同じ宛先であると識別するか否かを決定するための手段を備える、Ｃ２３に記載の装置。
［Ｃ２５］
前記第１のワイヤレスノードの前記アドレスは、前記第１のワイヤレスノードのメディアアクセス制御（ＭＡＣ）アドレスを備える、Ｃ２４に記載の装置。
［Ｃ２６］
前記符号化アドレスが前記第１のワイヤレスノードと前記第２のワイヤレスノードとを前記同じ宛先であると識別するか否かを決定するための前記手段は、前記第１のワイヤレスノードのアドレスと前記第２のワイヤレスノードのアドレスとに基づいて、前記符号化アドレスが前記第１のワイヤレスノードと前記第２のワイヤレスノードとを前記同じ宛先であると識別するか否かを決定するための手段を備える、Ｃ２３に記載の装置。
［Ｃ２７］
前記第１のワイヤレスノードの前記アドレスは、前記第１のワイヤレスノードのメディアアクセス制御（ＭＡＣ）アドレスを備え、前記第２のワイヤレスノードの前記アドレスは、前記第２のワイヤレスノードのＭＡＣアドレスを備える、Ｃ２６に記載の装置。
［Ｃ２８］
前記第１のパラメータは、通信のために使用される前記符号化アドレスまたは乱数を生成するように使用されるハッシュ関数のためのシードのうちの少なくとも１つを備える、Ｃ２３に記載の装置。
［Ｃ２９］
前記符号化アドレスは、
アソシエーション識別子（ＡＩＤ）、
ゴレイシーケンス番号、または
周波数オフセット値
のうちの少なくとも１つを備える、Ｃ２３に記載の装置。
［Ｃ３０］
前記符号化アドレスは、基本サービスセット（ＢＳＳ）カラーを備える、Ｃ２３に記載の装置。
［Ｃ３１］
前記符号化アドレスが前記第１のワイヤレスノードと前記第２のワイヤレスノードとを前記同じ宛先であると識別するか否かを決定するための前記手段は、前記第２のワイヤレスノードとのアソシエーションに従って取得された少なくとも１つのフレームに基づいて、前記符号化アドレスが前記第１のワイヤレスノードと前記第２のワイヤレスノードとを前記同じ宛先であると識別するか否かを決定するための手段を備える、Ｃ２３に記載の装置。
［Ｃ３２］
前記インジケーションは、第２のパラメータを使用するための命令を備え、前記第２のパラメータは、前記第１のパラメータとは異なる、Ｃ２３に記載の装置。
［Ｃ３３］
前記符号化アドレスが前記第１のワイヤレスノードと前記第２のワイヤレスノードとを前記同じ宛先であると識別するか否かを決定するための前記手段は、
前記第１のパラメータと前記第１のワイヤレスノードのアドレスとに基づいて前記符号化アドレスを生成するための手段と、
前記第１のパラメータと前記第２のワイヤレスノードのアドレスとに基づいて第２の符号化アドレスを生成するための手段と、
前記第２の符号化アドレスが前記符号化アドレスと同じであるか否かを決定するための手段と
を備える、Ｃ２３に記載の装置。
［Ｃ３４］
コンピュータ可読媒体であって、
少なくとも第１のパラメータを使用して生成された符号化アドレスが、第１のワイヤレスノードと第２のワイヤレスノードとを、前記符号化アドレスを含む少なくとも１つの第１のフレームのための同じ宛先であると識別するか否かを決定することと、
前記符号化アドレスが前記第１のワイヤレスノードと前記第２のワイヤレスノードとを前記同じ宛先であると識別した場合、前記第１のパラメータを使用しないインジケーションを含む少なくとも１つの第２のフレームを生成することと、
前記第１のワイヤレスノードまたは前記第２のワイヤレスノードのうちの少なくとも１つへの送信のために、前記少なくとも１つの第２のフレームを出力することと、
を行うための命令を記憶する、コンピュータ可読媒体。
［Ｃ３５］
ワイヤレスノードであって、
少なくとも第１のパラメータを使用して生成された符号化アドレスが、第１のワイヤレスノードと第２のワイヤレスノードとを、前記符号化アドレスを含む少なくとも１つの第１のフレームのための同じ宛先であると識別するか否かを決定することと、
前記符号化アドレスが前記第１のワイヤレスノードと前記第２のワイヤレスノードとを前記同じ宛先であると識別した場合、前記第１のパラメータを使用しないインジケーションを含む少なくとも１つの第２のフレームを生成することと
を行うように構成された処理システムと、
前記第１のワイヤレスノードまたは前記第２のワイヤレスノードのうちの少なくとも１つに、前記少なくとも１つの第２のフレームを送信するように構成された送信機と
を備える、ワイヤレスノード。
【国際調査報告】
2019526981.tif 000022
2019526981.tif 000023
2019526981.tif 000024